(57)【要約】  本願は、ネットワークサービス品質フローを決定するための方法、ネットワーク要素、およびシステムを提供することで、ＰＣＣルールに対応するサービス品質ＱｏＳフローを決定する正確率を上げることにより、データサービスのネットワークサービス品質を高めることができる。方法は、セッション管理ネットワーク要素がポリシ制御ネットワーク要素からポリシおよび課金制御ＰＣＣルールを受信する段階であって、ＰＣＣルールはサービス品質ＱｏＳパラメータを含み、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、段階と、セッション管理ネットワーク要素が標準化ＱｏＳパラメータ指示情報および非標準化ＱｏＳパラメータに基づいて、ＰＣＣルールに対応するサービス品質ＱｏＳフローを決定する段階とを含む。
2021510278.tif 000002
【特許請求の範囲】
【請求項１】
ネットワークサービス品質フローを決定するための方法であって、
セッション管理ネットワーク要素がポリシ制御ネットワーク要素からポリシおよび課金制御ＰＣＣルールを受信する段階であって、前記ＰＣＣルールはサービス品質ＱｏＳパラメータを含み、
前記ＱｏＳパラメータは、標準化ＱｏＳパラメータ指示情報および非標準化ＱｏＳパラメータを含み、前記非標準化ＱｏＳパラメータは、前記標準化ＱｏＳパラメータ指示情報に対応する標準化ＱｏＳパラメータに含まれる少なくとも１つの属性と、前記少なくとも１つの属性の対応する値とを含む、段階と、
前記セッション管理ネットワーク要素が前記標準化ＱｏＳパラメータ指示情報および前記非標準化ＱｏＳパラメータに基づいて、前記ＰＣＣルールに対応するサービス品質ＱｏＳフローを決定する段階と
を備える方法。
【請求項２】
前記標準化ＱｏＳパラメータ指示情報は５Ｇサービス品質識別子５ＱＩパラメータ値であり、前記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、請求項１に記載の方法。
【請求項３】
前記ＰＣＣルールに対応するサービス品質ＱｏＳフローを決定する前記段階は、
前記標準化ＱｏＳパラメータ指示情報および前記非標準化ＱｏＳパラメータの両方に一致する第１ＱｏＳフローがあるときに、前記セッション管理ネットワーク要素が前記第１ＱｏＳフローを前記ＰＣＣルールに対応する前記ＱｏＳフローとして決定する段階、または、
前記標準化ＱｏＳパラメータ指示情報および前記非標準化ＱｏＳパラメータの両方に一致するＱｏＳフローがないときに、前記セッション管理ネットワーク要素が第２ＱｏＳフローを前記ＰＣＣルールに対応する前記ＱｏＳフローとして決定する段階であって、前記ＰＣＣルールに従って、前記第２ＱｏＳフローに対応するＱｏＳパラメータが決定される、段階
を有する、請求項１または２に記載の方法。
【請求項４】
前記ＰＣＣルールは第１パラメータを更に含み、前記第１パラメータは、サービス品質を表すことができる、前記標準化ＱｏＳパラメータ指示情報および前記非標準化ＱｏＳパラメータ以外の任意のパラメータであり、
前記ＰＣＣルールに対応するサービス品質ＱｏＳフローを決定する前記段階は、
前記標準化ＱｏＳパラメータ指示情報、前記非標準化ＱｏＳパラメータ、および前記第１パラメータの全てに一致する第１ＱｏＳフローがあるときに、前記セッション管理ネットワーク要素が前記第１ＱｏＳフローを前記ＰＣＣルールに対応する前記ＱｏＳフローとして決定する段階、または、
前記標準化ＱｏＳパラメータ指示情報、前記非標準化ＱｏＳパラメータ、および前記第１パラメータの全てに一致するＱｏＳフローがないときに、前記セッション管理ネットワーク要素が第２ＱｏＳフローを前記ＰＣＣルールに対応する前記ＱｏＳフローとして決定する段階であって、前記ＰＣＣルールに従って、前記第２ＱｏＳフローに対応するＱｏＳパラメータが決定される、段階
を有する、
請求項１または２に記載の方法。
【請求項５】
前記ＰＣＣルールはフローマッチング情報を更に含み、前記セッション管理ネットワーク要素が前記第２ＱｏＳフローを前記ＰＣＣルールに対応する前記ＱｏＳフローとして決定するときに、前記方法は、
前記セッション管理ネットワーク要素がアクセスネットワークに前記第２ＱｏＳフローのフロー識別子と前記ＱｏＳパラメータとを送信する段階と、
前記セッション管理ネットワーク要素がユーザプレーンネットワーク要素に前記第２ＱｏＳフローの前記フロー識別子と前記フローマッチング情報とを送信する段階と
を更に備える、請求項３または４に記載の方法。
【請求項６】
前記ＰＣＣルールはフローマッチング情報を更に含み、前記セッション管理ネットワーク要素が前記第１ＱｏＳフローを前記ＰＣＣルールに対応する前記ＱｏＳフローとして決定するときに、前記方法は、
前記セッション管理ネットワーク要素がアクセスネットワークに前記第１ＱｏＳフローのフロー識別子と第２パラメータとを送信する段階であって、前記第２パラメータは、前記第１ＱｏＳフローの前記フロー識別子に対応するＱｏＳパラメータに対応する属性の値を更新する前記アクセスネットワーク用の指示情報である、段階と、
前記セッション管理ネットワーク要素がユーザプレーンネットワーク要素に前記第１ＱｏＳフローの前記フロー識別子と前記フローマッチング情報とを送信する段階と
を更に備える、請求項３または４に記載の方法。
【請求項７】
ネットワークサービス品質フローを決定するための方法であって、
ポリシ制御ネットワーク要素がＱｏＳパラメータを決定する段階であって、
前記ＱｏＳパラメータは、標準化ＱｏＳパラメータ指示情報および非標準化ＱｏＳパラメータを含み、前記非標準化ＱｏＳパラメータは、前記標準化ＱｏＳパラメータ指示情報に対応する標準化ＱｏＳパラメータに含まれる少なくとも１つの属性と、前記少なくとも１つの属性の対応する値とを含む、段階と、
前記ポリシ制御ネットワーク要素がセッション管理ネットワーク要素にポリシおよび課金制御ＰＣＣルールを送信する段階であって、前記ＰＣＣルールは前記ＱｏＳパラメータを含む、段階と
を備える方法。
【請求項８】
前記標準化ＱｏＳパラメータ指示情報は５Ｇサービス品質識別子５ＱＩパラメータ値であり、前記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、請求項７に記載の方法。
【請求項９】
ポリシ制御ネットワーク要素がＱｏＳパラメータを決定する前記段階は、
前記ポリシ制御ネットワーク要素がアプリケーションネットワーク要素から前記非標準化ＱｏＳパラメータを受信する段階、または、
前記ポリシ制御ネットワーク要素がアプリケーションネットワーク要素から第１指示情報を受信し、前記ポリシ制御ネットワーク要素が前記第１指示情報および第１事前構成ポリシに従って前記非標準化ＱｏＳパラメータを決定する段階、または、
前記ポリシ制御ネットワーク要素が前記セッション管理ネットワーク要素から第２指示情報を受信し、前記ポリシ制御ネットワーク要素が前記第２指示情報および第２事前構成ポリシに従って前記非標準化ＱｏＳパラメータを決定する段階
を有する、請求項７または８に記載の方法。
【請求項１０】
セッション管理ネットワーク要素であって、
ポリシ制御ネットワーク要素からポリシおよび課金制御ＰＣＣルールを受信するように構成される受信モジュールであって、前記ＰＣＣルールはサービス品質ＱｏＳパラメータを含み、
前記ＱｏＳパラメータは、標準化ＱｏＳパラメータ指示情報および非標準化ＱｏＳパラメータを含み、前記非標準化ＱｏＳパラメータは、前記標準化ＱｏＳパラメータ指示情報に対応する標準化ＱｏＳパラメータに含まれる少なくとも１つの属性と、前記少なくとも１つの属性の対応する値とを含む、受信モジュールと、
前記標準化ＱｏＳパラメータ指示情報および前記非標準化ＱｏＳパラメータに基づいて、前記ＰＣＣルールに対応するサービス品質ＱｏＳフローを決定するように構成される決定モジュールと
を備えるセッション管理ネットワーク要素。
【請求項１１】
前記標準化ＱｏＳパラメータ指示情報は５Ｇサービス品質識別子５ＱＩパラメータ値であり、前記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、請求項１０に記載のセッション管理ネットワーク要素。
【請求項１２】
前記決定モジュールは、
前記標準化ＱｏＳパラメータ指示情報および前記非標準化ＱｏＳパラメータの両方に一致する第１ＱｏＳフローがあるときに、前記セッション管理ネットワーク要素により前記第１ＱｏＳフローを前記ＰＣＣルールに対応する前記ＱｏＳフローとして決定すること、または、
前記標準化ＱｏＳパラメータ指示情報および前記非標準化ＱｏＳパラメータの両方に一致するＱｏＳフローがないときに、前記セッション管理ネットワーク要素により第２ＱｏＳフローを前記ＰＣＣルールに対応する前記ＱｏＳフローとして決定することであって、前記ＰＣＣルールに従って、前記第２ＱｏＳフローに対応するＱｏＳパラメータが決定される、決定すること
を行うように具体的に構成される、請求項１０または１１に記載のセッション管理ネットワーク要素。
【請求項１３】
前記ＰＣＣルールは第１パラメータを更に含み、前記第１パラメータは、サービス品質を表すことができる、前記標準化ＱｏＳパラメータ指示情報および前記非標準化ＱｏＳパラメータ以外の任意のパラメータであり、
前記決定モジュールは、
前記標準化ＱｏＳパラメータ指示情報、前記非標準化ＱｏＳパラメータ、および前記第１パラメータの全てに一致する第１ＱｏＳフローがあるときに、前記セッション管理ネットワーク要素により前記第１ＱｏＳフローを前記ＰＣＣルールに対応する前記ＱｏＳフローとして決定すること、または、
前記標準化ＱｏＳパラメータ指示情報、前記非標準化ＱｏＳパラメータ、および前記第１パラメータの全てに一致するＱｏＳフローがないときに、前記セッション管理ネットワーク要素により第２ＱｏＳフローを前記ＰＣＣルールに対応する前記ＱｏＳフローとして決定することであって、前記ＰＣＣルールに従って、前記第２ＱｏＳフローに対応するＱｏＳパラメータが決定される、決定すること
を行うように具体的に構成される、請求項１０または１１に記載のセッション管理ネットワーク要素。
【請求項１４】
前記ＰＣＣルールはフローマッチング情報を更に含み、前記セッション管理ネットワーク要素が前記第２ＱｏＳフローを前記ＰＣＣルールに対応する前記ＱｏＳフローとして決定するときに、前記セッション管理ネットワーク要素は送信モジュールを更に備え、前記送信モジュールは、
アクセスネットワークに前記第２ＱｏＳフローのフロー識別子と前記ＱｏＳパラメータとを送信し、
ユーザプレーンネットワーク要素に前記第２ＱｏＳフローの前記フロー識別子と前記フローマッチング情報とを送信する
ように構成される、請求項１２または１３に記載のセッション管理ネットワーク要素。
【請求項１５】
前記ＰＣＣルールはフローマッチング情報を更に含み、前記セッション管理ネットワーク要素が前記第１ＱｏＳフローを前記ＰＣＣルールに対応する前記ＱｏＳフローとして決定するときに、前記セッション管理ネットワーク要素は送信モジュールを更に備え、前記送信モジュールは、
アクセスネットワークに前記第１ＱｏＳフローのフロー識別子と第２パラメータとを送信することであって、前記第２パラメータは、前記第１ＱｏＳフローの前記フロー識別子に対応するＱｏＳパラメータに対応する属性の値を更新する前記アクセスネットワーク用の指示情報である、送信することと、
ユーザプレーンネットワーク要素に前記第１ＱｏＳフローの前記フロー識別子と前記フローマッチング情報とを送信することと
を行うように構成される、請求項１２または１３に記載のセッション管理ネットワーク要素。
【請求項１６】
ポリシ制御ネットワーク要素であって、
ＱｏＳパラメータを決定するように構成される決定モジュールであって、
前記ＱｏＳパラメータは、標準化ＱｏＳパラメータ指示情報および非標準化ＱｏＳパラメータを含み、前記非標準化ＱｏＳパラメータは、前記標準化ＱｏＳパラメータ指示情報に対応する標準化ＱｏＳパラメータに含まれる少なくとも１つの属性と、前記少なくとも１つの属性の対応する値とを含む、決定モジュールと、
セッション管理ネットワーク要素にポリシおよび課金制御ＰＣＣルールを送信するように構成される送信モジュールであって、前記ＰＣＣルールは前記ＱｏＳパラメータを含む、送信モジュールと
を備えるポリシ制御ネットワーク要素。
【請求項１７】
前記標準化ＱｏＳパラメータ指示情報は５Ｇサービス品質識別子５ＱＩパラメータ値であり、前記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、請求項１６に記載のポリシ制御ネットワーク要素。
【請求項１８】
前記決定モジュールは、
アプリケーションネットワーク要素から前記非標準化ＱｏＳパラメータを受信するか、または、
アプリケーションネットワーク要素から第１指示情報を受信し、前記第１指示情報および第１事前構成ポリシに従って前記非標準化ＱｏＳパラメータを決定するか、または、
前記セッション管理ネットワーク要素から第２指示情報を受信し、前記第２指示情報および第２事前構成ポリシに従って前記非標準化ＱｏＳパラメータを決定する
ように具体的に構成される、請求項１６または１７に記載のポリシ制御ネットワーク要素。
【請求項１９】
請求項１０から１５のいずれか一項に記載のセッション管理ネットワーク要素と、請求項１６から１８のいずれか一項に記載のポリシ制御ネットワーク要素とを備えるシステム。
【請求項２０】
前記システムはアプリケーションネットワーク要素を更に備え、前記アプリケーションネットワーク要素は、前記ポリシ制御ネットワーク要素に非標準化ＱｏＳパラメータまたは第１指示情報を送信して、前記非標準化ＱｏＳパラメータを決定するよう前記ポリシ制御ネットワーク要素に命令し、前記非標準化ＱｏＳパラメータは、標準化ＱｏＳパラメータ指示情報に対応する標準化ＱｏＳパラメータに含まれる少なくとも１つの属性と、前記少なくとも１つの属性の対応する値とを含む、請求項１９に記載のシステム。
【請求項２１】
少なくとも１つのプロセッサと、メモリと、トランシーバとを備えるセッション管理ネットワーク要素であって、前記メモリは命令を記憶するように構成され、前記トランシーバは、別のデバイスと通信するために前記セッション管理ネットワーク要素により使用され、記憶された前記命令は、前記セッション管理ネットワーク要素が請求項１から６のいずれか一項に記載の方法の動作を実行するように、前記少なくとも１つのプロセッサにより直接または間接的に実行される、セッション管理ネットワーク要素。
【請求項２２】
少なくとも１つのプロセッサと、メモリと、トランシーバとを備えるポリシ制御ネットワーク要素であって、前記メモリは命令を記憶するように構成され、前記トランシーバは、別のデバイスと通信するために前記ポリシ制御ネットワーク要素により使用され、記憶された前記命令は、前記ポリシ制御ネットワーク要素が請求項７から９のいずれか一項に記載の方法の動作を実行するように、前記少なくとも１つのプロセッサにより直接または間接的に実行される、ポリシ制御ネットワーク要素。
【請求項２３】
コンピュータ記憶媒体であって、前記コンピュータ可読記憶媒体は命令を記憶し、前記命令がコンピュータ上で実行されると、前記コンピュータは、請求項１から６のいずれか一項に記載の方法を実行することができる、コンピュータ記憶媒体。
【請求項２４】
コンピュータ記憶媒体であって、前記コンピュータ可読記憶媒体は命令を記憶し、前記命令がコンピュータ上で実行されると、前記コンピュータは、請求項７から９のいずれか一項に記載の方法を実行することができる、コンピュータ記憶媒体。
【発明の詳細な説明】
【技術分野】
【０００１】
本願は、２０１８年１月１２日に中国国家知識財産権局に出願された「ＭＥＴＨＯＤ  ＦＯＲ  ＤＥＴＥＲＭＩＮＩＮＧ  ＮＥＴＷＯＲＫ  ＱＵＡＬＩＴＹ  ＯＦ  ＳＥＲＶＩＣＥ  ＦＬＯＷ，ＮＥＴＷＯＲＫ  ＥＬＥＭＥＮＴ，ＡＮＤ  ＳＹＳＴＥＭ」と題する中国特許出願第２０１８１００３１１５１．１号に基づく優先権を主張するものであり、この中国特許出願がそのまま参照により本明細書に組み込まれる。
【０００２】
本願は、通信分野、より具体的にはネットワークサービス品質フローを決定するための方法、ネットワーク要素、およびシステムに関する。
【背景技術】
【０００３】
モバイル通信技術では、サービス品質フロー（Ｑｕａｌｉｔｙ  ｏｆ  Ｓｅｒｖｉｃｅ、ＱｏＳ）の粒度でサービス品質を保証することができる。各ＱｏＳフローが、対応するポリシおよび課金制御ルール（Ｐｏｌｉｃｙ  ａｎｄ  Ｃｈａｒｇｉｎｇ  Ｃｏｎｔｒｏｌ  Ｒｕｌｅ、ＰＣＣ  Ｒｕｌｅ）にバインドされ、ＱｏＳフローを使用して伝送されるデータサービスのサービス品質が、ＱｏＳフローがバインドされているＰＣＣルールのＱｏＳパラメータに基づいて決定され、セッション管理ネットワーク要素がＰＣＣルールをＱｏＳフローにバインドする。従って、セッション管理ネットワーク要素がＱｏＳフローをＰＣＣルールにバインドする方法は、データサービスのネットワークサービス品質に多大な影響を及ぼす。
【発明の概要】
【０００４】
本願は、ネットワークサービス品質フローを決定するための方法、ネットワーク要素、およびシステムを提供することで、ＰＣＣルールに対応するサービス品質ＱｏＳフローを決定する正確率を上げることにより、データサービスのネットワークサービス品質を高めることができる。
【０００５】
第１態様によれば、ネットワークサービス品質フローを決定するための方法が提供される。方法は、セッション管理ネットワーク要素がポリシ制御ネットワーク要素からポリシおよび課金制御ＰＣＣルールを受信する段階であって、ＰＣＣルールはサービス品質ＱｏＳパラメータを含み、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、段階と、セッション管理ネットワーク要素が標準化ＱｏＳパラメータ指示情報および非標準化ＱｏＳパラメータに基づいて、ＰＣＣルールに対応するサービス品質ＱｏＳフローを決定する段階とを含む。
【０００６】
従って、セッション管理ネットワーク要素は、標準化ＱｏＳパラメータ指示情報および非標準化ＱｏＳパラメータの両方を使用してＰＣＣルールに対応するサービス品質ＱｏＳフローを決定することにより、ＰＣＣルールに対応するサービス品質ＱｏＳフローを決定する正確率を上げ、結果的に、ＱｏＳフローを使用して伝送されるデータサービスのネットワークサービス品質を保証する。
【０００７】
第１態様を参照すると、第１態様のいくつかの実装において、標準化ＱｏＳパラメータ指示情報は５Ｇサービス品質識別子５ＱＩパラメータ値であり、非標準化ＱｏＳパラメータは、データパケット遅延バジェットＰＤＢ、データパケットエラーレートＰＥＲ、平均化時間ウィンドウＡＷ、優先度ＰＬ、および最大データバーストボリュームＭＤＢＶといったパラメータのうちの少なくとも１つと、対応する値とを含む。
【０００８】
ＰＣＣルールに対応するサービス品質ＱｏＳフローを決定するための既存の方法では、ＰＣＣルールに対応するサービス品質ＱｏＳフローは通常、非標準化ＱｏＳパラメータを考慮することなく、標準化ＱｏＳパラメータ指示情報に基づいて決定される。結果として、異なる非標準化ＱｏＳパラメータ要件を有するＰＣＣルールが、同じＱｏＳフローにバインドされ、同じＱｏＳ保証が、異なるＱｏＳ保証を必要とするサービスに使用されてよい。結果的に、ユーザエクスペリエンスが低下する場合があり、サービス品質を保証することができない。例えば、従来技術では、セッション管理ネットワーク要素は、同じ５ＱＩ値を含むが異なる非標準化ＱｏＳパラメータ（例えばＰＬ）を含む複数のＰＣＣルールを、同じＱｏＳフローにバインドする。セッション管理ネットワーク要素がＰＣＣルール（５ＱＩ：１;  ＰＬ：１０）を受信し、かつ、５ＱＩ値がＰＣＣルールのものと同じである、ＱｏＳフロー（５ＱＩ：１;  ＰＬ：３０）が現在のＰＤＵセッションに存在すると決定すると、セッション管理ネットワーク要素は、受信されたＰＣＣルールをＱｏＳフローにバインドする。この場合は、結果的に、受信されたＰＣＣルールに対応するサービスデータフローのサービス品質を保証することができない（システムが（５ＱＩ：１;  ＰＬ：３０）に従ってサービスフローのサービス保証を提供する）。本願では、ＰＣＣルールに対応するサービス品質ＱｏＳフローが決定されるときに、非標準化ＱｏＳパラメータを、例えばＰＤＢ、ＰＥＲ、ＡＷ、ＰＬ、およびＭＤＢＶといったパラメータのうちの少なくとも１つとみなして、同じ標準化ＱｏＳパラメータ指示情報を含むが異なる非標準化ＱｏＳパラメータを含むＰＣＣルールを異なるＱｏＳフローに確実にバインドすることにより、ＰＣＣルールに対応するサービス品質ＱｏＳフローを決定する正確率を上げ、ユーザエクスペリエンスを向上させる。
【０００９】
第１態様を参照すると、第１態様のいくつかの実装において、ＰＣＣルールに対応するサービス品質ＱｏＳフローを決定する段階は、標準化ＱｏＳパラメータ指示情報および非標準化ＱｏＳパラメータの両方に一致する第１ＱｏＳフローがあるときに、セッション管理ネットワーク要素が第１ＱｏＳフローをＰＣＣルールに対応するＱｏＳフローとして決定する段階、または、標準化ＱｏＳパラメータ指示情報および非標準化ＱｏＳパラメータの両方に一致するＱｏＳフローがないときに、セッション管理ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００１０】
第１態様を参照すると、第１態様のいくつかの実装において、ＰＣＣルールは第１パラメータを更に含み、第１パラメータは、サービス品質を表すことができる、標準化ＱｏＳパラメータ指示情報および非標準化ＱｏＳパラメータ以外の任意のパラメータである。第１パラメータは、例えば割り当ておよび保持優先度（Ａｌｌｏｃａｔｉｏｎ  ａｎｄ  Ｒｅｔｅｎｔｉｏｎ  Ｐｒｉｏｒｉｔｙ、ＡＲＰ）またはサービス品質通知制御（ＱｏＳ  Ｎｏｔｉｆｉｃａｔｉｏｎ  Ｃｏｎｔｒｏｌ、ＱＮＣ）であってよい。
【００１１】
ＰＣＣルールに対応するサービス品質ＱｏＳフローを決定する段階は、標準化ＱｏＳパラメータ指示情報、非標準化ＱｏＳパラメータ、および第１パラメータの全てに一致する第１ＱｏＳフローがあるときに、セッション管理ネットワーク要素が第１ＱｏＳフローをＰＣＣルールに対応するＱｏＳフローとして決定する段階、または、標準化ＱｏＳパラメータ指示情報、非標準化ＱｏＳパラメータ、および第１パラメータの全てに一致するＱｏＳフローがないときに、セッション管理ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００１２】
この場合は、ＰＣＣルールが第１パラメータを更に含むときに、標準化ＱｏＳパラメータ指示情報、非標準化ＱｏＳパラメータ、および第１パラメータを使用して、ＰＣＣルールに対応するサービス品質ＱｏＳフローを決定することで、ＰＣＣルールに対応するサービス品質ＱｏＳフローを決定する正確率を更に上げることができる。
【００１３】
第１態様を参照すると、第１態様のいくつかの実装において、ＰＣＣルールはフローマッチング情報を更に含み、セッション管理ネットワーク要素が第２ＱｏＳフローをＰＣＣルールに対応するＱｏＳフローとして決定するときに、方法は、セッション管理ネットワーク要素がアクセスネットワークに第２ＱｏＳフローのフロー識別子とＱｏＳパラメータとを送信する段階と、セッション管理ネットワーク要素がユーザプレーンネットワーク要素に第２ＱｏＳフローのフロー識別子とフローマッチング情報とを送信する段階と、セッション管理ネットワーク要素がユーザ機器に第２ＱｏＳフローのフロー識別子とフローマッチング情報とを送信する段階とを更に含む。
【００１４】
第１態様を参照すると、第１態様のいくつかの実装において、ＰＣＣルールはフローマッチング情報を更に含み、セッション管理ネットワーク要素が第１ＱｏＳフローをＰＣＣルールに対応するＱｏＳフローとして決定するときに、方法は、セッション管理ネットワーク要素がアクセスネットワークに第１ＱｏＳフローのフロー識別子と第２パラメータとを送信する段階であって、第２パラメータは、第１ＱｏＳフローのフロー識別子に対応するＱｏＳパラメータに対応する属性の値を更新するアクセスネットワーク用の指示情報である、段階と、セッション管理ネットワーク要素がユーザプレーンネットワーク要素に第１ＱｏＳフローのフロー識別子とフローマッチング情報とを送信する段階と、セッション管理ネットワーク要素がユーザ機器に第１ＱｏＳフローのフロー識別子とフローマッチング情報とを送信する段階とを更に含む。
【００１５】
第２態様によれば、ネットワークサービス品質フローを決定するための方法が提供される。方法は、ポリシ制御ネットワーク要素がＱｏＳパラメータを決定する段階であって、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、段階と、ポリシ制御ネットワーク要素がセッション管理ネットワーク要素にポリシおよび課金制御ＰＣＣルールを送信する段階であって、ＰＣＣルールはＱｏＳパラメータを含む、段階とを含む。
【００１６】
従って、ポリシ制御ネットワーク要素はセッション管理ネットワーク要素にＰＣＣルールを送信する。ＰＣＣルールが標準化ＱｏＳパラメータ指示情報および非標準化ＱｏＳパラメータを含むので、セッション管理ネットワーク要素は、標準化ＱｏＳパラメータ指示情報および非標準化ＱｏＳパラメータの両方に基づいてＰＣＣルールに対応するサービス品質ＱｏＳフローを決定することにより、ＰＣＣルールに対応するサービス品質ＱｏＳフローを決定する正確率を上げ、結果的に、データサービスのネットワークサービス品質を高める。
【００１７】
第２態様を参照すると、第２態様のいくつかの実装において、標準化ＱｏＳパラメータ指示情報は５Ｇサービス品質識別子５ＱＩパラメータ値であり、非標準化ＱｏＳパラメータは、データパケット遅延バジェットＰＤＢ、データパケットエラーレートＰＥＲ、平均化時間ウィンドウＡＷ、優先度ＰＬ、および最大データバーストボリュームＭＤＢＶといったパラメータのうちの少なくとも１つと、対応する値とを含む。
【００１８】
第２態様を参照すると、第２態様のいくつかの実装において、ポリシ制御ネットワーク要素がＱｏＳパラメータを決定する段階は、ポリシ制御ネットワーク要素がアプリケーションネットワーク要素から非標準化ＱｏＳパラメータを受信する段階、または、ポリシ制御ネットワーク要素がアプリケーションネットワーク要素から第１指示情報を受信し、ポリシ制御ネットワーク要素が第１指示情報および第１事前構成ポリシに従って非標準化ＱｏＳパラメータを決定する段階、または、ポリシ制御ネットワーク要素がセッション管理ネットワーク要素から第２指示情報を受信し、ポリシ制御ネットワーク要素が第２指示情報および第２事前構成ポリシに従って非標準化ＱｏＳパラメータを決定する段階を含む。
【００１９】
この場合は、ポリシ制御ネットワーク要素が非標準化ＱｏＳパラメータを決定することで、ポリシ制御ネットワーク要素は、ＱｏＳパラメータをリアルタイムで動的に決定して、ＰＣＣルールをタイムリーに調整し、次に、調整されたＰＣＣルールに対応するサービス品質ＱｏＳフローを決定することにより、ＰＣＣルールに対応するサービス品質ＱｏＳフローを決定する正確率を上げ、結果的に、データサービスのネットワークサービス品質を高めることができる。
【００２０】
第３態様によれば、セッション管理ネットワーク要素が提供される。セッション管理ネットワーク要素は、ポリシ制御ネットワーク要素からポリシおよび課金制御ＰＣＣルールを受信するように構成される受信モジュールであって、ＰＣＣルールはサービス品質ＱｏＳパラメータを含み、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、受信モジュールと、標準化ＱｏＳパラメータ指示情報および非標準化ＱｏＳパラメータに基づいて、ＰＣＣルールに対応するサービス品質ＱｏＳフローを決定するように構成される決定モジュールとを含む。
【００２１】
第３態様を参照すると、第３態様のいくつかの実装において、標準化ＱｏＳパラメータ指示情報は５Ｇサービス品質識別子５ＱＩパラメータ値であり、非標準化ＱｏＳパラメータは、データパケット遅延バジェットＰＤＢ、データパケットエラーレートＰＥＲ、平均化時間ウィンドウＡＷ、優先度ＰＬ、および最大データバーストボリュームＭＤＢＶといったパラメータのうちの少なくとも１つと、対応する値とを含む。
【００２２】
第３態様を参照すると、第３態様のいくつかの実装において、決定モジュールは、標準化ＱｏＳパラメータ指示情報および非標準化ＱｏＳパラメータの両方に一致する第１ＱｏＳフローがあるときに、セッション管理ネットワーク要素により第１ＱｏＳフローをＰＣＣルールに対応するＱｏＳフローとして決定すること、または、標準化ＱｏＳパラメータ指示情報および非標準化ＱｏＳパラメータの両方に一致するＱｏＳフローがないときに、セッション管理ネットワーク要素により第２ＱｏＳフローをＰＣＣルールに対応するＱｏＳフローとして決定することであって、ＰＣＣルールに従って、第２ＱｏＳフローに対応するＱｏＳパラメータが決定される、決定することを行うように具体的に構成される。
【００２３】
第３態様を参照すると、第３態様のいくつかの実装において、ＰＣＣルールは第１パラメータを更に含み、第１パラメータは、サービス品質を表すことができる、標準化ＱｏＳパラメータ指示情報および非標準化ＱｏＳパラメータ以外の任意のパラメータであり、決定モジュールは、標準化ＱｏＳパラメータ指示情報、非標準化ＱｏＳパラメータ、および第１パラメータの全てに一致する第１ＱｏＳフローがあるときに、セッション管理ネットワーク要素により第１ＱｏＳフローをＰＣＣルールに対応するＱｏＳフローとして決定すること、または、標準化ＱｏＳパラメータ指示情報、非標準化ＱｏＳパラメータ、および第１パラメータの全てに一致するＱｏＳフローがないときに、セッション管理ネットワーク要素により第２ＱｏＳフローをＰＣＣルールに対応するＱｏＳフローとして決定することであって、ＰＣＣルールに従って、第２ＱｏＳフローに対応するＱｏＳパラメータが決定される、決定することを行うように具体的に構成される。
【００２４】
第３態様を参照すると、第３態様のいくつかの実装において、ＰＣＣルールはフローマッチング情報を更に含み、セッション管理ネットワーク要素が第２ＱｏＳフローをＰＣＣルールに対応するＱｏＳフローとして決定するときに、セッション管理ネットワーク要素は送信モジュールを更に含み、送信モジュールは、アクセスネットワークに第２ＱｏＳフローのフロー識別子とＱｏＳパラメータとを送信し、ユーザプレーンネットワーク要素に第２ＱｏＳフローのフロー識別子とフローマッチング情報とを送信し、ユーザ機器に第２ＱｏＳフローのフロー識別子とフローマッチング情報とを送信するように構成される。
【００２５】
第３態様を参照すると、第３態様のいくつかの実装において、ＰＣＣルールはフローマッチング情報を更に含み、セッション管理ネットワーク要素が第１ＱｏＳフローをＰＣＣルールに対応するＱｏＳフローとして決定するときに、セッション管理ネットワーク要素は送信モジュールを更に含み、送信モジュールは、アクセスネットワークに第１ＱｏＳフローのフロー識別子と第２パラメータとを送信することであって、第２パラメータは、第１ＱｏＳフローのフロー識別子に対応するＱｏＳパラメータに対応する属性の値を更新するアクセスネットワーク用の指示情報である、送信することと、ユーザプレーンネットワーク要素に第１ＱｏＳフローのフロー識別子とフローマッチング情報とを送信することと、ユーザ機器に第１ＱｏＳフローのフロー識別子とフローマッチング情報とを送信することとを行うように構成される。
【００２６】
第４態様によれば、ポリシ制御ネットワーク要素が提供される。ポリシ制御ネットワーク要素は、ＱｏＳパラメータを決定するように構成される決定モジュールであって、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、決定モジュールと、セッション管理ネットワーク要素にポリシおよび課金制御ＰＣＣルールを送信するように構成される送信モジュールであって、ＰＣＣルールはＱｏＳパラメータを含む、送信モジュールとを含む。
【００２７】
第４態様を参照すると、第４態様のいくつかの実装において、標準化ＱｏＳパラメータ指示情報は５Ｇサービス品質識別子５ＱＩパラメータ値であり、非標準化ＱｏＳパラメータは、データパケット遅延バジェットＰＤＢ、データパケットエラーレートＰＥＲ、平均化時間ウィンドウＡＷ、優先度ＰＬ、および最大データバーストボリュームＭＤＢＶといったパラメータのうちの少なくとも１つと、対応する値とを含む。
【００２８】
第４態様を参照すると、第４態様のいくつかの実装において、決定モジュールは、アプリケーションネットワーク要素から非標準化ＱｏＳパラメータを受信するか、または、アプリケーションネットワーク要素から第１指示情報を受信し、第１指示情報および第１事前構成ポリシに従って非標準化ＱｏＳパラメータを決定するか、または、セッション管理ネットワーク要素から第２指示情報を受信し、第２指示情報および第２事前構成ポリシに従って非標準化ＱｏＳパラメータを決定するように具体的に構成される。
【００２９】
第５態様によれば、通信システムが提供される。通信システムは、第３態様または第３態様の任意選択的な実装のいずれか１つに係るセッション管理ネットワーク要素と、第４態様または第４態様の任意選択的な実装のいずれか１つに係るポリシ制御ネットワーク要素とを含む。
【００３０】
第５態様を参照すると、第５態様のいくつかの実装において、システムはアプリケーションネットワーク要素を更に含み、アプリケーションネットワーク要素は、ポリシ制御ネットワーク要素が非標準化ＱｏＳパラメータを決定するように、ポリシ制御ネットワーク要素に非標準化ＱｏＳパラメータまたは第１指示情報を送信し、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【００３１】
第６態様によれば、少なくとも１つのプロセッサと、メモリと、トランシーバとを含むセッション管理ネットワーク要素が提供される。メモリは命令を記憶するように構成され、トランシーバは、別のデバイスと通信するためにセッション管理ネットワーク要素により使用され、記憶された命令は、セッション管理ネットワーク要素が第１態様または第１態様の任意選択的な実装のいずれか１つにおける方法を実行できるように、少なくとも１つのプロセッサにより直接または間接的に実行される。
【００３２】
第７態様によれば、少なくとも１つのプロセッサと、メモリと、トランシーバとを含むポリシ制御ネットワーク要素が提供される。メモリは命令を記憶するように構成され、トランシーバは、別のデバイスと通信するためにポリシ制御ネットワーク要素により使用され、記憶された命令は、ポリシ制御ネットワーク要素が第２態様または第２態様の任意選択的な実装のいずれか１つにおける方法を実行できるように、少なくとも１つのプロセッサにより直接または間接的に実行される。
【００３３】
第８態様によれば、少なくとも１つのプロセッサを含むチップシステムが提供される。少なくとも１つのプロセッサは、セッション管理ネットワーク要素が第１態様または第１態様の任意選択的な実装のいずれか１つにおける方法を実行できるように、記憶された命令を実行するように構成される。
【００３４】
第９態様によれば、少なくとも１つのプロセッサを含むチップシステムが提供される。少なくとも１つのプロセッサは、ポリシ制御ネットワーク要素が第２態様または第２態様の任意選択的な実装のいずれか１つにおける方法を実行できるように、記憶された命令を実行するように構成される。
【００３５】
第１０態様によれば、コンピュータプログラム製品が提供される。コンピュータプログラム製品は命令を含み、命令が実行されると、セッション管理ネットワーク要素が第１態様または第１態様の任意選択的な実装のいずれか１つにおける方法を実行することができる。
【００３６】
第１１態様によれば、コンピュータプログラム製品が提供される。コンピュータプログラム製品は命令を含み、命令が実行されると、ポリシ制御ネットワーク要素が第２態様または第２態様の任意選択的な実装のいずれか１つにおける方法を実行することができる。
【００３７】
第１２態様によれば、コンピュータ記憶媒体が提供される。コンピュータ記憶媒体はプログラム命令を記憶し、命令が実行されると、セッション管理ネットワーク要素が第１態様または第１態様の任意選択的な実装のいずれか１つにおける方法を実行することができる。
【００３８】
第１３態様によれば、コンピュータ記憶媒体が提供される。コンピュータ記憶媒体はプログラム命令を記憶し、命令が実行されると、ポリシ制御ネットワーク要素が第２態様または第２態様の任意選択的な実装のいずれか１つにおける方法を実行することができる。
【図面の簡単な説明】
【００３９】
【図１】本願に係るネットワークサービス品質フローを決定するための方法およびネットワーク要素通信システムのアーキテクチャの概略図である。
【００４０】
【図２】本願に係る無線通信方法の概略フローチャートである。
【００４１】
【図３】本願に係るセッション管理ネットワーク要素の概略ブロック図である。
【００４２】
【図４】本願に係るポリシ制御ネットワーク要素の概略ブロック図である。
【００４３】
【図５】本願に係る通信装置の概略ブロック図である。
【００４４】
【図６】本願に係る通信システムの概略ブロック図である。
【発明を実施するための形態】
【００４５】
以下では、添付の図面を参照しながら本願の技術的解決策について説明する。
【００４６】
本願の実施形態の技術的解決策は、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の第５世代（５ｔｈ  Ｇｅｎｅｒａｔｉｏｎ、５Ｇ）システム、または新無線（Ｎｅｗ  Ｒａｄｉｏ、ＮＲ）システムなどの様々な通信システムに適用することができる。
【００４７】
図１は、本願に係るネットワークサービス品質フローを決定するための方法およびネットワーク要素通信システム１００のアーキテクチャの概略図である。図１に示すように、システム１００は、端末デバイス１１０と、アクセスネットワークデバイス１２０と、ユーザプレーンネットワーク要素（ｕｓｅｒ  ｐｌａｎｅ  ｆｕｎｃｔｉｏｎ、ＵＰＦ）１３０と、データネットワーク（ｄａｔａ  ｎｅｔｗｏｒｋ、ＤＮ）１４０と、アクセスおよびモビリティ管理ネットワーク要素（ａｃｃｅｓｓ  ＆  ｍｏｂｉｌｉｔｙ  ｆｕｎｃｔｉｏｎ、ＡＭＦ）１５０と、セッション管理ネットワーク要素（ｓｅｓｓｉｏｎ  ｍａｎａｇｅｍｅｎｔ  ｆｕｎｃｔｉｏｎ、ＳＭＦ）１６０と、ポリシ制御ネットワーク要素（ｐｏｌｉｃｙ  ｃｏｎｔｒｏｌ  ｆｕｎｃｔｉｏｎ、ＰＣＦ）１７０と、アプリケーションネットワーク要素（Ａｐｐｌｉｃａｔｉｏｎ  Ｆｕｎｃｔｉｏｎ、ＡＦ）１８０と、一元データ管理（ｕｎｉｆｉｅｄ  ｄａｔａ  ｍａｎａｇｅｍｅｎｔ、ＵＤＭ）ネットワーク要素１９０とを含む。通信を実装すべく、次世代（ｎｅｘｔ  ｇｅｎｅｒａｔｉｏｎ、ＮＧ）ネットワークインタフェースを介してネットワーク要素間に接続が確立されてよい。例えば、端末デバイス１１０は、新無線（ｎｅｗ  ｒａｄｉｏ、ＮＲ）インタフェースを介してアクセスネットワークデバイス１２０へのエアインタフェース接続を確立して、ユーザプレーンデータおよび制御プレーンシグナリングを伝送する。端末デバイス１１０は、ＮＧインタフェース１（略してＮ１）を介してＡＭＦへの制御プレーンシグナリング接続を確立してよい。アクセスネットワークデバイス１２０は、ＮＧインタフェース３（略してＮ３）を介してＵＰＦへのユーザプレーンデータ接続を確立してよい。アクセスネットワークデバイス１２０は、ＮＧインタフェース２（略してＮ２）を介してＡＭＦへの制御プレーンシグナリング接続を確立してよい。ＵＰＦは、ＮＧインタフェース４（略してＮ４）を介してＳＭＦへの制御プレーンシグナリング接続を確立してよい。ＵＰＦは、ＮＧインタフェース６（略してＮ６）を介してデータネットワークとユーザプレーンデータを交換してよい。ＡＭＦは、ＮＧインタフェース１１（略してＮ１１）を介してＳＭＦへの制御プレーンシグナリング接続を確立してよい。ＳＭＦは、ＮＧインタフェース７（略してＮ７）を介してＰＣＦへの制御プレーンシグナリング接続を確立してよい。ＰＣＦは、ＮＧインタフェース５（略してＮ５）を介してＡＦへの制御プレーンシグナリング接続を確立してよい。ＰＣＦは、ＮＧインタフェース１５（略してＮ１５）を介してＡＦへの制御プレーンシグナリング接続を確立してよい。ＵＤＭは、ＮＧインタフェース８（略してＮ８）を介してＡＭＦへの制御プレーンシグナリング接続を確立してよい。ＵＤＭは、ＮＧインタフェース１０（略してＮ１０）を介してＳＭＦへの制御プレーンシグナリング接続を確立してよい。
【００４８】
本願におけるネットワーク要素間のインタフェースの名称は単なる例に過ぎず、ネットワーク要素間のインタフェースは別の名称を有し得ることを理解されたい。本願ではインタフェースの名称について限定しない。
【００４９】
図１において、端末デバイス１１０は、無線エアインタフェースを介して、オペレータにより展開されるアクセスネットワークデバイス１２０に接続し、次に、ＵＰＦ１３０を使用してＤＮ１４０に接続されるように構成されてよい。アクセスネットワークデバイス１２０は主に、無線物理層機能、リソーススケジューリング、無線リソース管理、無線アクセス制御、およびモビリティ管理などの機能を実装するように構成される。ＵＰＦ１３０は、データフロー転送、ＱｏＳ制御、および課金統計収集などを実行するように構成される。ＤＮ１４０は、ＩＰマルチメディアサブシステム（ＩＰ  ｍｕｌｔｉｍｅｄｉａ  ｓｕｂｓｙｓｔｅｍ、ＩＭＳ）、インターネット、インターネットプロトコルテレビ（ｉｎｔｅｒｎｅｔ  ｐｒｏｔｏｃｏｌ  ｔｅｌｅｖｉｓｉｏｎ、ＩＰＴＶ）、および別のオペレータサービスドメインなどの複数の異なるサービスドメインに対応してよく、主に、端末デバイスに複数のタイプのデータサービスを提供するように構成される。ＤＮ１４０は、サーバ、ルータ、またはゲートウェイなどのネットワークデバイスを含んでよい。ＡＭＦ１５０は、端末デバイス上でアクセスおよびモビリティ管理を実行し、ＰＣＦにより提供されるＵＥモビリティおよびネットワークの選択ポリシを受信し、当該ポリシを実行するように構成される。ＳＭＦ１６０は、ＰＣＦ１７０により提供されるセッションおよびサービスフローの制御ポリシを受信し、当該ポリシを実行するように構成される。ＰＣＦ１７０は、ＡＦの要求情報、オペレータポリシ、およびユーザ加入情報などに基づいて、ポリシおよび課金制御ルール（ＰＣＣ  Ｒｕｌｅｓ）を生成してネットワークの挙動を制御し、制御プレーンネットワーク要素に当該ＰＣＣルールを配信してよい。ＡＦ１８０は主に、ネットワーク側にアプリケーション側の要件を提供し、要件はサービスフローのサービス品質要件およびユーザ機器のモビリティ要件などを含む。
【００５０】
上述の端末デバイスは、ユーザ機器、アクセス端末、加入者ユニット、加入者局、移動局、モバイルコンソール、リモート局、リモート端末、モバイルデバイス、ユーザ端末、端末、無線通信デバイス、ユーザエージェント、またはユーザ装置であってよい。端末デバイス１１０は代替的に、携帯電話、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイスもしくは無線モデムに接続された別の処理デバイス、車載デバイス、ウェアラブルデバイス、将来の５Ｇネットワークにおける端末デバイス、または将来の進化型の公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末デバイスなどであってよい。本願の実施形態ではこれについて限定しない。上述のアクセスネットワークデバイスは、端末デバイスと通信するように構成されるデバイスであってよい。アクセスネットワークデバイスは、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）または符号分割多元接続（Ｃｏｄｅ  Ｄｉｖｉｓｉｏｎ  Ｍｕｌｔｉｐｌｅ  Ａｃｃｅｓｓ、ＣＤＭＡ）のベーストランシーバ局（Ｂａｓｅ  Ｔｒａｎｓｃｅｉｖｅｒ  Ｓｔａｔｉｏｎ、ＢＴＳ）であってもよいし、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムのノードＢ（ＮｏｄｅＢ、ＮＢ）であってもよいし、ＬＴＥシステムの進化型ノードＢ（Ｅｖｏｌｕｔｉｏｎａｌ  ＮｏｄｅＢ、ｅＮＢまたはｅＮｏｄｅＢ）であってもよいし、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオでの無線コントローラであってもよい。代替的に、ネットワークデバイスは、中継局、アクセスポイント、車載デバイス、ウェアラブルデバイス、およびアクセスネットワーク（ａｃｃｅｓｓ  ｎｅｔｗｏｒｋ、ＡＮ）デバイス／無線アクセスネットワーク（ｒａｄｉｏ  ａｃｃｅｓｓ  ｎｅｔｗｏｒｋ、ＲＡＮ）デバイスであってよい。ネットワークは複数の５Ｇ−ＡＮ／５Ｇ−ＲＡＮノードを含む。これらの５Ｇ−ＡＮ／５Ｇ−ＲＡＮノードは、アクセスポイント（ａｃｃｅｓｓ  ｐｏｉｎｔ、ＡＰ）、次世代ノードＢ（ＮＲ  ｎｏｄｅＢ、ｇＮＢ）、中央ユニット（ｃｅｎｔｒａｌ  ｕｎｉｔ、ＣＵ）が分散型ユニット（ｄｉｓｔｒｉｂｕｔｅｄ  ｕｎｉｔ、ＤＵ）から分離されているｇＮＢ、送受信ポイント（ｔｒａｎｓｍｉｓｓｉｏｎ  ｒｅｃｅｉｖｅ  ｐｏｉｎｔ、ＴＲＰ）、伝送ポイント（ｔｒａｎｓｍｉｓｓｉｏｎ  ｐｏｉｎｔ、ＴＰ）、または別のアクセスノードであってよい。本願の実施形態ではこれについて限定しない。
【００５１】
上述のネットワーク要素のいくつかは独立して機能してもよいし、組み合わされていくつかの制御機能を実装してもよい。例えば、ＡＭＦ、ＳＭＦ、およびＰＣＦは、組み合わせされて管理デバイスとして機能することで、端末デバイスのアクセス認証、セキュリティ暗号化、および位置登録などのアクセス制御およびモビリティ管理機能、ユーザプレーン伝送経路の確立、リリース、および変更などのセッション管理機能、並びに、いくつかのスライス（ｓｌｉｃｅ）に関連するデータ（輻輳など）および端末デバイスに関連するデータの分析などの機能を実装してよい。ＵＰＦは主に、ゲートウェイデバイスとして、ユーザプレーンデータのルーティングおよび転送などの機能を実装し、例えば、端末デバイスのデータパケットのフィルタリング、データの伝送／転送、レートの制御、および課金情報の生成を担う。
【００５２】
本願で提供するネットワークサービス品質フローを決定するための方法は、セッション管理ネットワーク要素およびポリシ制御ネットワーク要素に適用されてよい。セッション管理ネットワーク要素およびポリシ制御ネットワーク要素はそれぞれ、ハードウェア層、ハードウェア層上で実行されるオペレーティングシステム層、およびオペレーティングシステム層上で実行されるアプリケーション層を含む。ハードウェア層は、中央処理装置（ｃｅｎｔｒａｌ  ｐｒｏｃｅｓｓｉｎｇ  ｕｎｉｔ、ＣＰＵ）、メモリ管理ユニット（ｍｅｍｏｒｙ  ｍａｎａｇｅｍｅｎｔ  ｕｎｉｔ、ＭＭＵ）、およびメモリ（メインメモリとも呼ばれる）などのハードウェアを含む。オペレーティングシステム層は、プロセス（Ｐｒｏｃｅｓｓ）を使用してサービスを処理する任意の１または複数のコンピュータオペレーティングシステム、例えばＬｉｎｕｘオペレーティングシステム、Ｕｎｉｘオペレーティングシステム、Ａｎｄｒｏｉｄオペレーティングシステム、ｉＯＳオペレーティングシステム、またはｗｉｎｄｏｗｓオペレーティングシステムであってよい。アプリケーション層は、ブラウザ、連絡先リスト、文書作成ソフトウェア、およびインスタントメッセージングソフトウェアなどのアプリケーションを含む。
【００５３】
加えて、本願の態様または特徴は、標準化されたプログラミング技術および／または工学技術を使用する方法、装置、または製品として実装されてよい。本願で使用する「製品」という用語は、任意のコンピュータ可読コンポーネント、キャリア、または媒体からアクセスされ得るコンピュータプログラムを包含する。例えば、コンピュータ可読媒体は、以下に限定するわけではないが、磁気記憶コンポーネント（例えばハードディスク、フロッピーディスク、または磁気テープ）、光ディスク（例えばコンパクトディスク（ｃｏｍｐａｃｔ  ｄｉｓｃ、ＣＤ）、デジタル多用途ディスク（ｄｉｇｉｔａｌ  ｖｅｒｓａｔｉｌｅ  ｄｉｓｃ、ＤＶＤ））、スマートカード、およびフラッシュメモリコンポーネント（例えば消去可能プログラマブルリードオンリメモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭ）、カード、スティック、またはキードライブ）を含んでよい。加えて、本明細書で説明する様々な記憶媒体は、情報を記憶するように構成される１または複数のデバイスおよび／または他の機械可読媒体を示してよい。「機械可読媒体」という用語は、以下に限定するわけではないが、命令および／またはデータを記憶、含有、および／または保持できる様々な媒体を含んでよい。
【００５４】
図１は、単に例示的なアーキテクチャの図に過ぎない。図１に示す機能ユニットに加えて、ネットワークアーキテクチャは、別の機能ユニットまたは機能エンティティを更に含んでよい。本発明の実施形態ではこれについて限定しない。
【００５５】
本願をよりよく理解できるよう、以下では図１に示すシステムと同じまたは同様のシステムを例として使用することにより、図２から図５を参照しながら本願について説明する。
【００５６】
図２は、本願に係る無線通信方法２００の概略フローチャートである。図２に示すように、方法２００は以下の段階を含む。
【００５７】
段階２１０：ポリシ制御ネットワーク要素がサービス品質（ｑｕａｌｉｔｙ  ｏｆ  ｓｅｒｖｉｃｅ、ＱｏＳ）パラメータを決定する。
【００５８】
ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【００５９】
ＱｏＳパラメータは、ポリシおよび課金制御（ｐｏｌｉｃｙ  ａｎｄ  ｃｈａｒｇｉｎｇ  ｃｏｎｔｒｏｌ、ＰＣＣ）ルールに合致したサービス品質ＱｏＳフローのネットワークサービス品質パラメータを示す。ＱｏＳパラメータは、標準化ＱｏＳパラメータおよび非標準化ＱｏＳパラメータに分割されてよい。標準化ＱｏＳパラメータは、標準化ＱｏＳパラメータ指示情報を使用して決定され得るＱｏＳパラメータのセットである。非標準化ＱｏＳパラメータは、ポリシ制御ネットワーク要素から動的にＱｏＳパラメータであり、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【００６０】
段階２２０：ポリシ制御ネットワーク要素は、セッション管理ネットワーク要素にポリシおよび課金制御ＰＣＣルールを送信し、ＰＣＣルールはＱｏＳパラメータを含む。
【００６１】
段階２３０：セッション管理ネットワーク要素は、ポリシ制御ネットワーク要素からＰＣＣルールを受信する。
【００６２】
段階２４０：セッション管理ネットワーク要素は、標準化ＱｏＳパラメータ指示情報および非標準化ＱｏＳパラメータに基づいて、ＰＣＣルールに対応するサービス品質ＱｏＳフローを決定する。
【００６３】
従って、本願の本実施形態において、ポリシ制御ネットワーク要素は、ＱｏＳパラメータを決定し、ＱｏＳパラメータを含むＰＣＣルールをセッション管理ネットワーク要素に送信し、セッション管理ネットワーク要素は、標準化ＱｏＳパラメータ指示情報および非標準化ＱｏＳパラメータの両方を使用して、ＰＣＣルールに対応するサービス品質ＱｏＳフローを決定することににより、ＰＣＣルールに対応するサービス品質ＱｏＳフローを決定する正確率を上げ、結果的に、ＱｏＳフローを使用して伝送されるデータサービスのネットワークサービス品質を保証する。
【００６４】
段階２１０の前に、セッション管理ネットワーク要素は、ポリシ制御ネットワーク要素のアドレス情報またはドメイン名情報を取得し、アドレス指定により、アドレス情報またはドメイン名情報に基づいてポリシ制御ネットワーク要素を見つけることができること、または、ポリシ制御ネットワーク要素は、セッション管理ネットワーク要素から要求メッセージを受信し、要求メッセージは、セッション管理ネットワーク要素のアドレス情報またはドメイン名情報を含み、アドレス指定により、アドレス情報またはドメイン名情報に基づいてセッション管理ネットワーク要素を見つけることができることを理解されたい。セッション管理ネットワーク要素はＰＣＣルールの要求を開始してよく、ポリシ制御ネットワーク要素はＰＣＣルールの更新を開始してよい。
【００６５】
オプションとして標準化ＱｏＳパラメータ指示情報は、第５世代（５  Ｇｅｎｅｒａｔｉｏｎ、５Ｇ）サービス品質識別子５ＱＩパラメータ値であり、非標準化ＱｏＳパラメータは、データパケット遅延バジェット（Ｐａｃｋｅｔ  Ｄｅｌａｙ  Ｂｕｄｇｅｔ、ＰＤＢ）、データパケットエラーレート（Ｐａｃｋｅｔ  Ｅｒｒｏｒ  Ｒａｔｅ、ＰＥＲ）、平均化時間ウィンドウ（Ａｖｅｒａｇｉｎｇ  Ｗｉｎｄｏｗ、ＡＷ）、優先度（Ｐｒｉｏｒｉｔｙ  Ｌｅｖｅｌ、ＰＬ）、および最大データバーストボリューム（Ｍａｘｉｍｕｍ  Ｄａｔａ  Ｂｕｒｓｔ  Ｖｏｌｕｍｅ、ＭＤＢＶ）といったパラメータのうちの少なくとも１つを含む。
【００６６】
具体的には、５ＱＩパラメータ値はインデックス値であり、当該インデックス値に基づいて、１つの標準化ＱｏＳパラメータが決定され得る。標準化ＱｏＳパラメータは、表１に示すように、属性および対応する値のセットを含む。
【表１】
2021510278.tif 000003
【００６７】
表１において、５ＱＩパラメータ値が１であることは、リソースタイプが、保証されたビットレート（Ｇｕａｒａｎｔｅｅｄ  Ｂｉｔ  Ｒａｔｅ、ＧＢＲ）タイプであり、ＰＬが２０であり、ＰＤＢパラメータが１００ｍｓであり、ＰＥＲが１０−２であり、ＭＤＢＶおよびＡＷが定義される予定である、５ＱＩパラメータのセットを示す。５ＱＩパラメータ値が１であることは、ネットワークプロトコルで指定されたパラメータのセットを示す。
【００６８】
表１は単に５ＱＩパラメータ値に対応する標準化ＱｏＳパラメータを示しているに過ぎないことを理解されたい。実際には、異なる５ＱＩパラメータ値に対応する異なる標準化ＱｏＳパラメータがあるかもしれない。
【００６９】
オプションとして、ポリシ制御ネットワーク要素が段階２１０でＱｏＳパラメータを決定する段階は、ポリシ制御ネットワーク要素がアプリケーションネットワーク要素から非標準化ＱｏＳパラメータを受信する段階、または、ポリシ制御ネットワーク要素がアプリケーションネットワーク要素から第１指示情報を受信し、ポリシ制御ネットワーク要素が第１指示情報および第１事前構成ポリシに従って非標準化ＱｏＳパラメータを決定する段階、または、ポリシ制御ネットワーク要素がセッション管理ネットワーク要素から第２指示情報を受信し、ポリシ制御ネットワーク要素が第２指示情報および第２事前構成ポリシに従って非標準化ＱｏＳパラメータを決定する段階を含む。
【００７０】
具体的には、ポリシ制御ネットワーク要素は、アプリケーションネットワーク要素から非標準化ＱｏＳパラメータを受信する。具体的には、ポリシ制御ネットワーク要素は、アプリケーションネットワーク要素からの非標準化ＱｏＳパラメータをＰＣＣルールに直接追加し、セッション管理ネットワーク要素にＰＣＣルールを送信する。
【００７１】
第１指示情報は、アプリケーションネットワーク要素からのアプリケーション識別子情報または５タプル情報（送信元ＩＰアドレス、送信元ポート、宛先ＩＰアドレス、宛先ポート、およびトランスポート層プロトコルを含む）であってよい。第１指示情報は、非標準化ＱｏＳパラメータを決定するポリシ制御ネットワーク要素用の指示情報であり、ポリシ制御ネットワーク要素は、第１指示情報および第１事前構成ポリシに従って非標準化ＱｏＳパラメータを決定する。第１事前構成ポリシは、オペレータ構成情報および／またはユーザ加入情報などを含む。オペレータ構成情報は、特定用途向けのサービス品質パラメータ構成、または、特定用途向けにオペレータにより事前構成された事前構成動作、例えば帯域幅保証およびスケジューリング優先順位などのパラメータ情報、または、特定用途向けに設定されたゲーティング情報といった情報であってよい。ユーザ加入情報は、ユーザレベル、ユーザが加入している特定用途向け付加価値サービス、およびユーザ加入パッケージなどの情報であってよい。
【００７２】
第２指示情報は、セッション管理ネットワーク要素からの要求情報であってよく、ＰＣＣルールのＱｏＳパラメータを調整するようＰＣＦに要求するために使用される。第２指示情報は、アプリケーションイベント検出報告および／またはリソースに制約のある通知情報などを含んでよい。アプリケーションイベント検出報告はアプリケーション識別子を保持してよく、リソースに制約のある通知メッセージはＰＣＣルールＩＤを保持してよい。
【００７３】
この場合は、ポリシ制御ネットワーク要素が非標準化ＱｏＳパラメータを決定することで、ポリシ制御ネットワーク要素は、ＱｏＳパラメータをリアルタイムで動的に決定して、ＰＣＣルールをタイムリーに調整し、次に、調整されたＰＣＣルールに対応するサービス品質ＱｏＳフローを決定することにより、ＰＣＣルールに対応するサービス品質ＱｏＳフローを決定する正確率を上げ、結果的に、データサービスのネットワークサービス品質を高めることができる。
【００７４】
オプションとして、段階２４０のＰＣＣルールに対応するサービス品質ＱｏＳフローを決定する段階は、標準化ＱｏＳパラメータ指示情報および非標準化ＱｏＳパラメータの両方に一致する第１ＱｏＳフローがあるときに、セッション管理ネットワーク要素が第１ＱｏＳフローをＰＣＣルールに対応するＱｏＳフローとして決定する段階、または、標準化ＱｏＳパラメータ指示情報および非標準化ＱｏＳパラメータの両方に一致する第１ＱｏＳフローがないときに、セッション管理ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００７５】
５Ｇネットワークを例として使用する。第１ＱｏＳフローがセッション管理ネットワーク要素に存在し、第１ＱｏＳフローに対応するＱｏＳパラメータが｛５ＱＩ：１、ＰＬ：３０｝であり、ポリシ制御ネットワーク要素からのＰＣＣルールに含まれるＱｏＳパラメータが｛５ＱＩ：１、ＰＬ：３０｝であると仮定する。ＱｏＳパラメータが｛５ＱＩ：１、ＰＬ：３０｝に一致する第１ＱｏＳフローがセッション管理ネットワーク要素に存在するので、セッション管理ネットワーク要素は第１ＱｏＳフローをＰＣＣルールにバインドする。
【００７６】
第１ＱｏＳフローがセッション管理ネットワーク要素に存在し、第１ＱｏＳフローに対応するＱｏＳパラメータが｛５ＱＩ：１、ＰＬ：１０｝であり、ポリシ制御ネットワーク要素からのＰＣＣルールに含まれるＱｏＳパラメータが｛５ＱＩ：１、ＰＬ：３０｝であると仮定する。ＱｏＳパラメータが｛５ＱＩ：１、ＰＬ：３０｝に一致する第１ＱｏＳフローがセッション管理ネットワーク要素に存在しないので、セッション管理ネットワーク要素はＰＣＣルール用の新たな第２ＱｏＳフローを作成する。ＰＣＣルールに従って、第２ＱｏＳフローに対応するＱｏＳパラメータが決定される。具体的には、第２ＱｏＳフローに対応するＱｏＳパラメータは｛５ＱＩ：１、ＰＬ：３０｝である。
【００７７】
オプションとして、段階２４０では、ＰＣＣルールは第１パラメータを更に含み、第１パラメータは、サービス品質を表すことができる、標準化ＱｏＳパラメータおよび非標準化ＱｏＳパラメータ以外の任意のパラメータである。
【００７８】
ＰＣＣルールに対応するサービス品質ＱｏＳフローを決定する段階は、標準化ＱｏＳパラメータ指示情報、非標準化ＱｏＳパラメータ、および第１パラメータの全てに一致する第１ＱｏＳフローがあるときに、セッション管理ネットワーク要素が第１ＱｏＳフローをＰＣＣルールに対応するＱｏＳフローとして決定する段階、または、標準化ＱｏＳパラメータ指示情報、非標準化ＱｏＳパラメータ、および第１パラメータの全てに一致するＱｏＳフローがないときに、セッション管理ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００７９】
具体的には、第１パラメータは、割り当ておよび保持優先度（Ａｌｌｏｃａｔｉｏｎ  ａｎｄ  Ｒｅｔｅｎｔｉｏｎ  Ｐｒｉｏｒｉｔｙ、ＡＲＰ）および／またはサービス品質通知制御（ＱｏＳ  Ｎｏｔｉｆｉｃａｔｉｏｎ  Ｃｏｎｔｒｏｌ、ＱＮＣ）パラメータを含んでよい。
【００８０】
５Ｇネットワークを例として使用する。第１ＱｏＳフローがセッション管理ネットワーク要素に存在し、第１ＱｏＳフローに対応するＱｏＳパラメータが｛５ＱＩ：１、ＡＲＰ：２、ＰＬ：３０｝であり、ポリシ制御ネットワーク要素からのＰＣＣルールに含まれるＱｏＳパラメータが｛５ＱＩ：１、ＡＲＰ：２、ＰＬ：３０｝であると仮定する。ＱｏＳパラメータが｛５ＱＩ：１、ＰＬ：３０｝に一致する第１ＱｏＳフローがセッション管理ネットワーク要素に存在するので、セッション管理ネットワーク要素は第１ＱｏＳフローをＰＣＣルールにバインドする。
【００８１】
第１ＱｏＳフローがセッション管理ネットワーク要素に存在し、第１ＱｏＳフローに対応するＱｏＳパラメータが｛５ＱＩ：１、ＡＲＰ：３、ＰＬ：１０｝であり、ポリシ制御ネットワーク要素からのＰＣＣルールに含まれるＱｏＳパラメータが｛５ＱＩ：１、ＡＲＰ：２、ＰＬ：３０｝であると仮定する。ＱｏＳパラメータが｛５ＱＩ：１、ＡＲＰ：２、ＰＬ：３０｝に一致する第１ＱｏＳフローがセッション管理ネットワーク要素に存在しないので、セッション管理ネットワーク要素はＰＣＣルール用の新たな第２ＱｏＳフローを作成する。ＰＣＣルールに従って、第２ＱｏＳフローに対応するＱｏＳパラメータが決定される。具体的には、第２ＱｏＳフローに対応するＱｏＳパラメータは｛５ＱＩ：１、ＡＲＰ：２、ＰＬ：３０｝である。
【００８２】
この場合は、ＰＣＣルールが第１パラメータを更に含むときに、標準化ＱｏＳパラメータ指示情報、非標準化ＱｏＳパラメータ、および第１パラメータを使用して、ＰＣＣルールに対応するサービス品質ＱｏＳフローを決定することで、ＰＣＣルールに対応するサービス品質ＱｏＳフローを決定する正確率を更に上げることができる。
【００８３】
オプションとしてＰＣＣルールは、アップリンクおよびダウンリンク最大サービスフロー帯域幅ＵＬ  ａｎｄ  ＤＬ  Ｍａｘｉｍｕｍ  Ｆｌｏｗ  ＢｉｔＲａｔｅ、アップリンクおよびダウンリンク保証サービスフロー帯域幅ＵＬ  ａｎｄ  ＤＬ  Ｇｕａｒａｎｔｅｅｄ  Ｆｌｏｗ  ＢｉｔＲａｔｅ、および優先順位ｐｒｅｃｅｄｅｎｃｅといったパラメータを更に含んでよい。優先順位ｐｒｅｃｅｄｅｎｃｅは、ＰＣＣルールの優先順位、具体的には、データフローが複数のＰＣＣルールに合致し得るときに実行される優先順位処理を示す。
【００８４】
オプションとして、ＰＣＣルールはフローマッチング情報を更に含む。セッション管理ネットワーク要素が第２ＱｏＳフローをＰＣＣルールに対応するＱｏＳフローとして決定するときに、方法２００は、セッション管理ネットワーク要素がアクセスネットワークに第２ＱｏＳフローのフロー識別子とＱｏＳパラメータとを送信する段階と、セッション管理ネットワーク要素がユーザプレーンネットワーク要素に第２ＱｏＳフローのフロー識別子とフローマッチング情報とを送信する段階と、セッション管理ネットワーク要素がユーザ機器に第２ＱｏＳフローのフロー識別子とフローマッチング情報とを送信する段階とを更に含む。
【００８５】
具体的には、セッション管理ネットワーク要素がアクセスネットワークに第２ＱｏＳフローのフロー識別子ＱＦＩ２とＱｏＳパラメータとを送信することで、アクセスネットワークは、ヘッダにＱＦＩ２マーキングが含まれているデータパケットを受信するときに、データパケットに対してＱＦＩ２に対応するＱｏＳ保証ポリシを実行する。
【００８６】
セッション管理ネットワーク要素からアクセスネットワークへのＱｏＳパラメータは、ＱｏＳプロファイルとも呼ばれ得ることを理解されたい。
【００８７】
セッション管理ネットワーク要素は、ユーザプレーンネットワーク要素ＵＰＦにＱＦＩ２およびフローマッチング情報を送信する。フローマッチング情報は、ポリシ制御ネットワーク要素からのＰＣＣルールに含まれ、フローマッチング情報は、フローマッチング情報に一致するサービスデータフローのデータパケットのヘッダにＱＦＩ２マーキングを追加するよう命令するために使用される。フローマッチング情報は、ＰＣＣルールが実行されるべき特定のサービスデータフローを示す。フローマッチング情報はパケットフィルタセット情報であり、ＩＰの５要素（ｑｕｉｎｔｕｐｌｅｔ）（送信元ＩＰアドレス、送信元ポート、宛先ＩＰアドレス、宛先ポート、およびトランスポート層プロトコルを含む）を含む。ＵＰＦがダウンリンクデータパケットを受信すると、ＵＰＦは、ダウンリンクデータパケットの宛先アドレスおよびフローマッチング情報に基づいて、ダウンリンクデータパケットを対応する第２ＱｏＳフローと照合し、データパケットのヘッダにＱＦＩ２マーキングを追加する。ＱＦＩ２マーキングを含むデータパケットを受信すると、アクセスネットワークは、ＱＦＩ２に対応するＱｏＳフローのサービス保証をデータパケットに提供する。
【００８８】
セッション管理ネットワーク要素は、ユーザ機器に第２ＱｏＳフローのフロー識別子とフローマッチング情報とを送信する。アップリンクデータパケットを送信すると、ユーザ機器は、アップリンクデータパケットの宛先アドレスおよびフローマッチング情報に基づいて、アップリンクデータパケットを対応する第２ＱｏＳフローと照合し、データパケットのヘッダにＱＦＩ２マーキングを追加する。ＱＦＩ２マーキングを含むデータパケットを受信すると、アクセスネットワークは、ＱＦＩ２に対応するＱｏＳフローのサービス保証をデータパケットに提供する。
【００８９】
上記では、ＰＣＣルールに含まれるフローマッチング情報がパケットフィルタセット情報であるときに、セッション管理ネットワーク要素がユーザ機器およびユーザプレーンネットワーク要素の両方にフロー識別子およびフローマッチング情報を配信する場合について説明していることを理解されたい。ただし、ＰＣＣルールに含まれるフローマッチング情報がアプリケーション識別子であるときには、アプリケーション識別子がユーザ機器に送信されない場合があるので、ＵＥにはアップリンクフローマッチング情報がない場合がある。ユーザ機器は、デフォルトのＱｏＳフローに基づいてアップリンクデータパケットを伝送する。例えば、デフォルトのＱｏＳフローは、マッチング優先順位が最も低いＱｏＳフローである場合がある。セッション管理ネットワーク要素は、ユーザプレーンネットワーク要素にアプリケーション識別子およびフロー識別子を送信する。ダウンリンクデータパケットを受信すると、ユーザプレーンネットワーク要素は、アプリケーション識別子およびアプリケーションマッチングルールに従ってマッチングを実行し、マッチングが成功した場合はダウンリンクデータパケットのヘッダにフロー識別子を追加する。ＰＣＣルールに含まれるフローマッチング情報がアプリケーション識別子であるとき、セッション管理ネットワーク要素は代替的に、ユーザ機器にアプリケーション識別子およびフロー識別子を送信してよい。ユーザ機器は、ピアユニフォームリソースロケータ（Ｕｎｉｆｏｒｍ  Ｒｅｓｏｕｒｃｅ  Ｌｏｃａｔｏｒ、ＵＲＬ）またはドメイン名アドレスなどの情報を使用してアプリケーションタイプを決定してよい。決定されたアプリケーションタイプがアプリケーション識別子と一致する場合は、ユーザ機器はアップリンクデータパケットのヘッダにフロー識別子を追加する。
【００９０】
オプションとして、ＰＣＣルールはフローマッチング情報を更に含む。セッション管理ネットワーク要素が第１ＱｏＳフローをＰＣＣルールに対応するＱｏＳフローとして決定するときに、方法２００は、セッション管理ネットワーク要素がアクセスネットワークに第１ＱｏＳフローのフロー識別子と第２パラメータとを送信する段階であって、第２パラメータは、第１ＱｏＳフローのフロー識別子に対応するＱｏＳパラメータに対応する属性の値を更新するアクセスネットワーク用の指示情報である、段階と、セッション管理ネットワーク要素がユーザプレーンネットワーク要素に第１ＱｏＳフローのフロー識別子とフローマッチング情報とを送信する段階と、セッション管理ネットワーク要素がユーザ機器に第１ＱｏＳフローのフロー識別子とフローマッチング情報とを送信する段階とを更に含む。
【００９１】
具体的には、セッション管理ネットワーク要素は、アクセスネットワークに第１ＱｏＳフローのフロー識別子ＱＦＩ１と第２パラメータとを送信する。第２パラメータは、第１ＱｏＳフローのフロー識別子に対応するＱｏＳパラメータに対応する属性の値を更新するアクセスネットワーク用の指示情報である。例えば、第２パラメータは｛ＧＢＲ：５ＭＢ｝であり、第１ＱｏＳフローに対応する元のＱｏＳパラメータは｛５ＱＩ：１、ＧＢＲ：３ＭＢ、ＡＲＰ：２、ＰＬ：２０｝である。第１ＱｏＳフローのフロー識別子ＱＦＩ１と第２パラメータとを受信した後、アクセスネットワークは、第１ＱｏＳフローに対応するＱｏＳパラメータを｛５ＱＩ：１、ＧＢＲ：５ＭＢ、ＡＲＰ：２、ＰＬ：２０｝に変更する。ヘッダにＱＦＩ１マーキングが含まれているデータパケットを受信すると、アクセスネットワークは、データパケットに対してＱＦＩ１に対応する変更されたＱｏＳ保証ポリシを実行する。
【００９２】
セッション管理ネットワーク要素がユーザプレーンネットワーク要素およびユーザ機器の各々に第１ＱｏＳフローのフロー識別子とフローマッチング情報とを送信する特定のプロセスについては、それに応じて、セッション管理ネットワーク要素がユーザプレーンネットワーク要素およびユーザ機器の各々に第２ＱｏＳフローのフロー識別子とフローマッチング情報とを送信するプロセスを参照すべきであることを理解されたい。繰り返しを回避すべく、ここでは詳細について改めて説明しない。
【００９３】
図３は、本願に係るセッション管理ネットワーク要素３００の概略ブロック図である。図３に示すように、ネットワークデバイスは、ポリシ制御ネットワーク要素からポリシおよび課金制御ＰＣＣルールを受信するように構成される受信モジュール３１０であって、ＰＣＣルールはサービス品質ＱｏＳパラメータを含み、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、受信モジュール３１０、および、標準化ＱｏＳパラメータ指示情報および非標準化ＱｏＳパラメータに基づいて、ＰＣＣルールに対応するサービス品質ＱｏＳフローを決定するように構成される決定モジュール３２０といったモジュールを含む。
【００９４】
オプションとして、受信モジュール３１０および決定モジュール３２０は、本願におけるネットワークサービス品質フローを決定するための方法２００の動作を実行するように構成される。簡潔にするため、ここでは詳細について改めて説明しない。
【００９５】
図４は、本願に係るポリシ制御ネットワーク要素４００の概略ブロック図である。図４に示すように、ポリシ制御ネットワーク要素は、ＱｏＳパラメータを決定するように構成される決定モジュール４１０であって、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、決定モジュール４１０、および、セッション管理ネットワーク要素にポリシおよび課金制御ＰＣＣルールを送信するように構成される送信モジュール４２０であって、ＰＣＣルールはＱｏＳパラメータを含む、送信モジュール４２０といったモジュールを含む。
【００９６】
オプションとして、決定モジュール４１０および送信モジュール４２０は、本願におけるネットワークサービス品質フローを決定するための方法２００の動作を実行するように構成される。簡潔にするため、ここでは詳細について改めて説明しない。
【００９７】
セッション管理ネットワーク要素およびポリシ制御ネットワーク要素は、方法の実施形態におけるセッション管理ネットワーク要素およびポリシ制御ネットワーク要素に完全に対応しており、対応するモジュールが対応する段階を実行する。詳細については、対応する方法の実施形態を参照されたい。
【００９８】
図５は、本願に係る通信装置５００の概略ブロック図である。通信装置５００は、プログラムを記憶するように構成されるメモリ５１０であって、プログラムはコードを含む、メモリ５１０と、別のデバイスと通信するように構成されるトランシーバ５２０と、メモリ５１０内のプログラムコードを実行するように構成されるプロセッサ５３０とを含む。
【００９９】
オプションとして、コードが実行されると、プロセッサ５３０は方法２００の動作を実装してよい。簡潔にするため、ここでは詳細について改めて説明しない。トランシーバ５２０は、プロセッサ５３０の駆動下で特定の信号受信／送信を実行するように構成される。
【０１００】
通信装置５００は、セッション管理ネットワーク要素またはポリシ制御ネットワーク要素であってよい。プロセッサは決定モジュールの動作を実行する。トランシーバは、送信器および／または受信器を含んでよく、送信器および／または受信器は、送信モジュールおよび受信モジュールの対応する段階をそれぞれ実行する。
【０１０１】
図６は、本願に係る通信システム６００の概略ブロック図である。通信システム６００は、セッション管理ネットワーク要素６１０およびポリシ制御ネットワーク要素６２０を含む。セッション管理ネットワーク要素６１０とポリシ制御ネットワーク要素６２０との間の接続については、図１におけるシステムアーキテクチャの対応する説明を参照されたい。
【０１０２】
オプションとして、通信システム６００はアプリケーションネットワーク要素を更に含む。アプリケーションネットワーク要素は、ポリシ制御ネットワーク要素に非標準化ＱｏＳパラメータまたは第１指示情報を送信して、非標準化ＱｏＳパラメータを決定するようポリシ制御ネットワーク要素に命令する。非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【０１０３】
具体的には、ポリシ制御ネットワーク要素は、アプリケーションネットワーク要素から非標準化ＱｏＳパラメータを受信する。具体的には、ポリシ制御ネットワーク要素は、アプリケーションネットワーク要素からの非標準化ＱｏＳパラメータをＰＣＣルールに直接追加し、セッション管理ネットワーク要素にＰＣＣルールを送信する。
【０１０４】
第１指示情報は、アプリケーションネットワーク要素からのアプリケーション識別子情報または５タプル情報（送信元ＩＰアドレス、送信元ポート、宛先ＩＰアドレス、宛先ポート、およびトランスポート層プロトコルを含む）であってよい。第１指示情報は、非標準化ＱｏＳパラメータを決定するポリシ制御ネットワーク要素用の指示情報である。
【０１０５】
セッション管理ネットワーク要素６１０およびポリシ制御ネットワーク要素６２０は、本願におけるネットワークサービス品質フローを決定するための方法２００の動作を実行するように構成されることを理解されたい。簡潔にするため、ここでは詳細について改めて説明しない。
【０１０６】
セッション管理ネットワーク要素およびポリシ制御ネットワーク要素は、方法の実施形態におけるセッション管理ネットワーク要素およびポリシ制御ネットワーク要素に完全に対応する。詳細については、対応する方法の実施形態を参照されたい。
【０１０７】
通信システム６００は別のネットワーク要素または機能エンティティを更に含み得ることを理解されたい。本発明の本実施形態ではこれについて限定しない。
【０１０８】
当業者であれば、本明細書で開示する実施形態に記載の例と組み合わせて、電子ハードウェア、またはコンピュータソフトウェアと電子ハードウェアとの組み合わせにより、ユニットおよびアルゴリズム段階が実装され得ることを認識できよう。これらの機能がハードウェアおよびソフトウェアのどちらで実行されるかは、技術的解決策の特定の用途および設計上の制約で決まる。当業者であれば、異なる方法を使用して、説明されている機能を特定の用途ごとに実装し得るが、こうした実装が本願の範囲を越えるものとみなされるべきではない。
【０１０９】
当業者であれば、簡便かつ簡単な説明を目的として、上述のシステム、装置、およびユニットの詳細な動作プロセスについては、上述した方法の実施形態における対応するプロセスを参照すべきであることを明確に理解できよう。ここでは詳細について改めて説明しない。
【０１１０】
本願において提供するいくつかの実施形態では、開示されているシステム、装置、および方法が他の方式で実装され得ることを理解されたい。例えば、説明されている装置の実施形態は単なる例に過ぎない。例えば、ユニット区分は単に論理機能区分に過ぎず、実際の実装においては他の区分であってよい。例えば、複数のユニットまたはコンポーネントを組み合わせるかまたは統合して別のシステムにしてもよいし、いくつかの特徴を無視するかまたは実行しなくてもよい。加えて、表示または説明されている相互結合もしくは直接結合または通信接続は、いくつかのインタフェースを介して実装されてよい。装置間またはユニット間の間接結合または通信接続は、電気的な形態、機械的な形態、または他の形態で実装されてよい。
【０１１１】
別個の部分として説明されているユニットは物理的に別個であってもなくてもよく、ユニットとして表示されている部分が物理的ユニットであってなくてもよいし、１箇所に配置されてもよいし、複数のネットワークユニットに分散されてもよい。これらのユニットのいくつかまたは全てが、実施形態の解決策の目的を達成するために、実際の要件に基づいて選択されてよい。
【０１１２】
加えて、本願の実施形態における機能ユニットが１つの処理ユニットに統合されてもよいし、これらのユニットの各々が物理的に単独で存在してもよく、または、２またはそれより多くのユニットが統合されて１つのユニットになる。
【０１１３】
本明細書における「および／または」および「ＡまたはＢのうちの少なくとも１つ」という用語は、関連付けられる対象物を説明するための対応関係のみを説明するものであり、３つの関係が存在し得ることを表していることを理解されたい。例えば、Ａおよび／またはＢは、Ａのみが存在する、ＡおよびＢの両方が存在する、および、Ｂのみが存在するという３つの場合を表し得る。加えて、本明細書における「／」という文字は概して、関連付けられる対象物間の「または」の関係を示す。
【０１１４】
本願のある実施形態が、コンピュータプログラムを記憶するように構成されるコンピュータ可読媒体を提供する。コンピュータプログラムは、図２の本願の上述の実施形態におけるネットワークサービス品質フローを決定するための方法を実行するための命令を含む。これらの機能がソフトウェア機能ユニットの形態で実装され、独立した製品として販売または使用されるとき、これらの機能はコンピュータ可読記憶媒体に記憶されてよい。こうした理解に基づいて、本願の技術的解決策は本質的に、または従来技術に寄与する部分が、またはこれらの技術的解決策のいくつかが、ソフトウェア製品の形態で実装されてよい。コンピュータソフトウェア製品は記憶媒体に記憶され、本願の実施形態で説明する方法の段階の全てまたはいくつかを実行するようコンピュータデバイス（パーソナルコンピュータ、サーバ、またはネットワークデバイスなどであってよい）に指示するためのいくつかの命令を含む。上述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶し得る任意の媒体を含む。
【０１１５】
上述の実施形態の全てまたはいくつかが、ソフトウェア、ハードウェア、ファームウェア、またはそれらの任意の組み合わせによって実装されてよい。これらの実施形態を実装するためにソフトウェアが使用されるとき、これらの実施形態は、コンピュータプログラム製品の形態で完全にまたは部分的に実装されてよい。コンピュータプログラム製品は１または複数のコンピュータ命令を含む。コンピュータプログラム命令がロードされ、コンピュータ上で実行されるとき、本願に係る手順または機能は完全または部分的に生成される。コンピュータは、汎用コンピュータ、専用コンピュータ、コンピュータネットワーク、または他のプログラマブル装置であってよい。コンピュータ命令はコンピュータ可読記憶媒体に記憶されてもよいし、あるコンピュータ可読記憶媒体から別のコンピュータ可読記憶媒体に伝送されてもよい。例えば、コンピュータ命令は、あるウェブサイト、コンピュータ、サーバ、またはデータセンタから別のウェブサイト、コンピュータ、サーバ、またはデータセンタへ有線（例えば、同軸ケーブル、光ファイバ、またはデジタル加入者線）または無線（例えば、赤外線、電波、またはマイクロ波）方式で伝送されてよい。コンピュータ可読記憶媒体は、コンピュータによってアクセス可能な任意の使用可能な媒体、または、１または複数の使用可能な媒体を統合した、サーバもしくはデータセンタなどのデータ記憶デバイスであってよい。使用可能な媒体は、磁気媒体（例えば、フロッピーディスク、ハードディスク、または磁気テープ）、光媒体、または半導体媒体（例えば、ソリッドステートディスク（Ｓｏｌｉｄ  Ｓｔａｔｅ  Ｄｉｓｋ、ＳＳＤ））などであってよい。
【０１１６】
上述の説明は、単に本願の特定の実装に過ぎず、本願の保護範囲を限定することを意図するものではない。本願で開示する技術的範囲内で当業者が容易に考え付く変形または置換はいずれも、本願の保護範囲に含まれるものとする。従って、本願の保護範囲は請求項の保護範囲の対象になるものとする。
【図１】
2021510278.tif 000004
【図２】
2021510278.tif 000005
【図３】
2021510278.tif 000006
【図４】
2021510278.tif 000007
【図５】
2021510278.tif 000008
【図６】
2021510278.tif 000009
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
ネットワークサービス品質フローを決定するための方法であって、
セッション管理機能ネットワーク要素がポリシ制御機能ネットワーク要素からポリシおよび課金制御（ＰＣＣ）ルールを受信する段階であって、前記ＰＣＣルールは、５Ｇサービス品質識別子（５ＱＩ）パラメータ値および非標準化サービス品質（ＱｏＳ）パラメータを含み、前記非標準化ＱｏＳパラメータは、
平均化ウィンドウ（ＡＷ）、優先度（ＰＬ）、および最大データバーストボリューム（ＭＤＢＶ）
といったパラメータのうちのいずれか１つまたは前記パラメータの任意の組み合わせを含む、段階と、
前記セッション管理機能ネットワーク要素が前記５ＱＩパラメータ値および前記非標準化ＱｏＳパラメータに基づいて、前記ＰＣＣルールに対応するＱｏＳフローを決定する段階と
を備える方法。
【請求項２】
前記セッション管理機能ネットワーク要素が前記ＰＣＣルールを前記ＱｏＳフローにバインドする段階
を更に備える請求項１に記載の方法。
【請求項３】
前記ポリシ制御機能ネットワーク要素が前記５ＱＩパラメータ値および前記非標準化ＱｏＳパラメータを決定する段階、
前記ポリシ制御機能ネットワーク要素が前記セッション管理機能ネットワーク要素に前記ＰＣＣルールを送信する段階
を更に備える請求項１または２に記載の方法。
【請求項４】
前記ＰＣＣルールに対応する前記ＱｏＳフローを決定する前記段階は、
ＱｏＳパラメータが前記５ＱＩパラメータ値および前記非標準化ＱｏＳパラメータの両方に一致する、第１ＱｏＳフローがあると決定したことに応じて、前記セッション管理機能ネットワーク要素が前記第１ＱｏＳフローを前記ＰＣＣルールに対応する前記ＱｏＳフローとして決定する段階
を有する、請求項１から３のいずれか一項に記載の方法。
【請求項５】
前記ＰＣＣルールに対応する前記ＱｏＳフローを決定する前記段階は、
ＱｏＳパラメータが前記５ＱＩパラメータ値および前記非標準化ＱｏＳパラメータの両方に一致する、ＱｏＳフローがないと決定したことに応じて、前記セッション管理機能ネットワーク要素が新たなＱｏＳフローを前記ＰＣＣルールに対応する前記ＱｏＳフローとして決定する段階であって、前記ＰＣＣルールに従って、前記新たなＱｏＳフローに対応するＱｏＳパラメータが決定される、段階
を有する、請求項１から３のいずれか一項に記載の方法。
【請求項６】
前記ＰＣＣルールは第１パラメータを更に含み、前記第１パラメータは、サービス品質を表すことができる、前記５ＱＩパラメータ値および前記非標準化ＱｏＳパラメータ以外の任意のパラメータであり、
前記ＰＣＣルールに対応する前記ＱｏＳフローを決定する前記段階は、
ＱｏＳパラメータが前記５ＱＩパラメータ値、前記非標準化ＱｏＳパラメータ、および前記第１パラメータの全てに一致する、第１ＱｏＳフローがあると決定したことに応じて、前記セッション管理機能ネットワーク要素が前記第１ＱｏＳフローを前記ＰＣＣルールに対応する前記ＱｏＳフローとして決定する段階
を有する、
請求項１から３のいずれか一項に記載の方法。
【請求項７】
前記ＰＣＣルールは第１パラメータを更に含み、前記第１パラメータは、サービス品質を表すことができる、前記５ＱＩパラメータ値および前記非標準化ＱｏＳパラメータ以外の任意のパラメータであり、
前記ＰＣＣルールに対応する前記ＱｏＳフローを決定する前記段階は、
ＱｏＳパラメータが前記５ＱＩパラメータ値、前記非標準化ＱｏＳパラメータ、および前記第１パラメータの全てに一致する、ＱｏＳフローがないと決定したことに応じて、前記セッション管理機能ネットワーク要素が新たなＱｏＳフローを前記ＰＣＣルールに対応する前記ＱｏＳフローとして決定する段階であって、前記ＰＣＣルールに従って、前記新たなＱｏＳフローに対応するＱｏＳパラメータが決定される、段階
を有する、
請求項１から３のいずれか一項に記載の方法。
【請求項８】
前記ＰＣＣルールはフローマッチング情報を更に含み、前記方法は、
前記セッション管理機能ネットワーク要素がアクセスネットワークに前記新たなＱｏＳフローのフロー識別子と、前記５ＱＩパラメータ値と、前記非標準化ＱｏＳパラメータとを送信する段階と、
前記セッション管理機能ネットワーク要素がユーザプレーン機能ネットワーク要素に前記新たなＱｏＳフローの前記フロー識別子と前記フローマッチング情報とを送信する段階と
を更に備える、請求項５に記載の方法。
【請求項９】
前記ＰＣＣルールはフローマッチング情報を更に含み、前記方法は、
前記セッション管理機能ネットワーク要素がアクセスネットワークに前記新たなＱｏＳフローのフロー識別子と、前記５ＱＩパラメータ値と、前記非標準化ＱｏＳパラメータとを送信する段階と、
前記セッション管理機能ネットワーク要素がユーザプレーンネットワーク要素に前記新たなＱｏＳフローの前記フロー識別子と前記フローマッチング情報とを送信する段階と
を更に備える、請求項７に記載の方法。
【請求項１０】
前記ＰＣＣルールはフローマッチング情報を更に含み、前記方法は、
前記セッション管理機能ネットワーク要素がアクセスネットワークに前記第１ＱｏＳフローのフロー識別子と第２パラメータとを送信する段階であって、前記第２パラメータは、前記第１ＱｏＳフローのＱｏＳパラメータに対応する属性の値を更新する前記アクセスネットワーク用の指示情報である、段階と、
前記セッション管理機能ネットワーク要素がユーザプレーン機能ネットワーク要素に前記第１ＱｏＳフローの前記フロー識別子と前記フローマッチング情報とを送信する段階と
を更に備える、請求項４に記載の方法。
【請求項１１】
前記ＰＣＣルールはフローマッチング情報を更に含み、前記方法は、
前記セッション管理機能ネットワーク要素がアクセスネットワークに前記第１ＱｏＳフローのフロー識別子と第２パラメータとを送信する段階であって、前記第２パラメータは、前記第１ＱｏＳフローのＱｏＳパラメータに対応する属性の値を更新する前記アクセスネットワーク用の指示情報である、段階と、
前記セッション管理機能ネットワーク要素がユーザプレーンネットワーク要素に前記第１ＱｏＳフローの前記フロー識別子と前記フローマッチング情報とを送信する段階と
を更に備える、請求項６に記載の方法。
【請求項１２】
ネットワークサービス品質フローを決定するための方法であって、
ポリシ制御機能ネットワーク要素がＱｏＳパラメータを決定する段階であって、前記ＱｏＳパラメータは、５Ｇサービス品質識別子（５ＱＩ）パラメータ値および非標準化サービス品質（ＱｏＳ）パラメータを含み、前記非標準化ＱｏＳパラメータは、
平均化ウィンドウ（ＡＷ）、優先度（ＰＬ）、および最大データバーストボリューム（ＭＤＢＶ）
といったパラメータのうちのいずれか１つまたは前記パラメータの任意の組み合わせを含む、段階と、
前記ポリシ制御機能ネットワーク要素がセッション管理機能ネットワーク要素にポリシおよび課金制御（ＰＣＣ）ルールを送信する段階であって、前記ＰＣＣルールは前記ＱｏＳパラメータを含む、段階と
を備える方法。
【請求項１３】
前記ＱｏＳパラメータを決定する前記段階は、
前記ポリシ制御機能ネットワーク要素がアプリケーション機能ネットワーク要素から前記非標準化ＱｏＳパラメータを受信する段階、または、
前記ポリシ制御機能ネットワーク要素がアプリケーション機能ネットワーク要素から第１指示情報を受信し、前記ポリシ制御機能ネットワーク要素が前記第１指示情報および第１事前構成ポリシに従って前記非標準化ＱｏＳパラメータを決定する段階、または、
前記ポリシ制御機能ネットワーク要素が前記セッション管理機能ネットワーク要素から第２指示情報を受信し、前記ポリシ制御機能ネットワーク要素が前記第２指示情報および第２事前構成ポリシに従って前記非標準化ＱｏＳパラメータを決定する段階
を有する、請求項１２に記載の方法。
【請求項１４】
少なくとも１つのプロセッサと、
前記少なくとも１つのプロセッサに結合され、かつ、プログラム命令を記憶したメモリと
を備えるセッション管理機能ネットワーク要素であって、
前記プログラム命令は、前記少なくとも１つのプロセッサにより実行されると、前記セッション管理機能ネットワーク要素に、
ポリシ制御ネットワーク要素からポリシおよび課金制御（ＰＣＣ）ルールを受信する手順であって、前記ＰＣＣルールは、５Ｇサービス品質識別子（５ＱＩ）パラメータ値および非標準化サービス品質（ＱｏＳ）パラメータを含み、前記非標準化ＱｏＳパラメータは、
平均化ウィンドウ（ＡＷ）、優先度（ＰＬ）、および最大データバーストボリューム（ＭＤＢＶ）
といったパラメータのうちのいずれか１つまたは前記パラメータの任意の組み合わせを含む、手順と、
前記５ＱＩパラメータ値および前記非標準化ＱｏＳパラメータに基づいて、前記ＰＣＣルールに対応するＱｏＳフローを決定する手順と
を実行させる、セッション管理機能ネットワーク要素。
【請求項１５】
前記プログラム命令は、前記セッション管理機能ネットワーク要素に、前記ＰＣＣルールを前記ＱｏＳフローにバインドする手順を更に実行させる、請求項１４に記載のセッション管理機能ネットワーク要素。
【請求項１６】
ＱｏＳパラメータが前記５ＱＩパラメータ値および前記非標準化ＱｏＳパラメータの両方に一致する、第１ＱｏＳフローがあると決定したことに応じて、前記セッション管理機能ネットワーク要素により、前記第１ＱｏＳフローを前記ＰＣＣルールに対応する前記ＱｏＳフローとして決定すること
によって、前記ＱｏＳフローを決定する請求項１４または１５に記載のセッション管理機能ネットワーク要素。
【請求項１７】
ＱｏＳパラメータが前記５ＱＩパラメータ値および前記非標準化ＱｏＳパラメータの両方に一致する、ＱｏＳフローがないと決定したことに応じて、新たなＱｏＳフローを前記ＰＣＣルールに対応する前記ＱｏＳフローとして決定することであって、前記ＰＣＣルールに従って、前記新たなＱｏＳフローに対応するＱｏＳパラメータが決定される、決定すること
によって、前記ＱｏＳフローを決定する請求項１４または１５に記載のセッション管理機能ネットワーク要素。
【請求項１８】
前記ＰＣＣルールは第１パラメータを更に含み、前記第１パラメータは、サービス品質を表すことができる、前記５ＱＩパラメータ値および前記非標準化ＱｏＳパラメータ以外の任意のパラメータであり、前記セッション管理機能ネットワーク要素は、
ＱｏＳパラメータが前記５ＱＩパラメータ値、前記非標準化ＱｏＳパラメータ、および前記第１パラメータの全てに一致する、第１ＱｏＳフローがあると決定したことに応じて、前記第１ＱｏＳフローを前記ＰＣＣルールに対応する前記ＱｏＳフローとして決定すること
によって、前記ＱｏＳフローを決定する、請求項１４または１５に記載のセッション管理機能ネットワーク要素。
【請求項１９】
前記ＰＣＣルールは第１パラメータを更に含み、前記第１パラメータは、サービス品質を表すことができる、前記５ＱＩパラメータ値および前記非標準化ＱｏＳパラメータ以外の任意のパラメータであり、前記セッション管理機能ネットワーク要素は、
ＱｏＳパラメータが前記５ＱＩパラメータ値、前記非標準化ＱｏＳパラメータ、および前記第１パラメータの全てに一致する、ＱｏＳフローがないと決定したことに応じて、新たなＱｏＳフローを前記ＰＣＣルールに対応する前記ＱｏＳフローとして決定すること
によって、前記ＱｏＳフローを決定し、
前記ＰＣＣルールに従って、前記新たなＱｏＳフローに対応するＱｏＳパラメータが決定される、
請求項１４または１５に記載のセッション管理機能ネットワーク要素。
【請求項２０】
前記ＰＣＣルールはフローマッチング情報を更に含み、前記プログラム命令は、前記セッション管理機能ネットワーク要素に、
アクセスネットワークに前記第１ＱｏＳフローのフロー識別子と第２パラメータとを送信する手順であって、前記第２パラメータは、前記第１ＱｏＳフローのＱｏＳパラメータに対応する属性の値を更新する前記アクセスネットワーク用の指示情報である、手順と、
ユーザプレーンネットワーク要素に前記第１ＱｏＳフローの前記フロー識別子と前記フローマッチング情報とを送信する手順と
を更に実行させる、請求項１６または１８に記載のセッション管理機能ネットワーク要素。
【請求項２１】
前記ＰＣＣルールはフローマッチング情報を更に含み、前記プログラム命令は、前記セッション管理機能ネットワーク要素に、
アクセスネットワークに前記新たなＱｏＳフローのフロー識別子と、前記５ＱＩパラメータ値と、前記非標準化ＱｏＳパラメータとを送信する手順と、
ユーザプレーンネットワーク要素に前記新たなＱｏＳフローの前記フロー識別子と前記フローマッチング情報とを送信する手順と
を更に実行させる、請求項１７または１９に記載のセッション管理機能ネットワーク要素。
【請求項２２】
前記第１パラメータは、割り当ておよび保持優先度（ＡＲＰ）およびＱｏＳ通知制御（ＱＮＣ）といったパラメータのうちのいずれか１つまたは前記パラメータの任意の組み合わせを含む、請求項１８に記載のセッション管理機能ネットワーク要素。
【請求項２３】
少なくとも１つのプロセッサと、
前記少なくとも１つのプロセッサに結合され、かつ、プログラム命令を記憶したメモリと
を備えるポリシ制御機能ネットワーク要素であって、
前記プログラム命令は、前記少なくとも１つのプロセッサにより実行されると、前記ポリシ制御機能ネットワーク要素に、
ＱｏＳパラメータを決定する手順であって、前記ＱｏＳパラメータは、５Ｇサービス品質識別子（５ＱＩ）パラメータ値および非標準化サービス品質（ＱｏＳ）パラメータを含み、前記非標準化ＱｏＳパラメータは、
平均化ウィンドウ（ＡＷ）、優先度（ＰＬ）、および最大データバーストボリューム（ＭＤＢＶ）
といったパラメータのうちのいずれか１つまたは前記パラメータの任意の組み合わせを含む、手順と、
セッション管理機能ネットワーク要素にポリシおよび課金制御（ＰＣＣ）ルールを送信する手順であって、前記ＰＣＣルールは前記ＱｏＳパラメータを含む、手順と
を実行させる、ポリシ制御機能ネットワーク要素。
【請求項２４】
前記ポリシ制御機能ネットワーク要素によりアプリケーション機能ネットワーク要素から前記非標準化ＱｏＳパラメータを受信すること、または、
前記ポリシ制御機能ネットワーク要素によりアプリケーション機能ネットワーク要素から第１指示情報を受信し、前記ポリシ制御機能ネットワーク要素により前記第１指示情報および第１事前構成ポリシに従って前記非標準化ＱｏＳパラメータを決定すること、または、
前記ポリシ制御機能ネットワーク要素により前記セッション管理機能ネットワーク要素から第２指示情報を受信し、前記ポリシ制御機能ネットワーク要素により前記第２指示情報および第２事前構成ポリシに従って前記非標準化ＱｏＳパラメータを決定すること
によって、ＱｏＳパラメータを決定する請求項２３に記載のポリシ制御機能ネットワーク要素。
【請求項２５】
請求項１４から２２のいずれか一項に記載のセッション管理機能ネットワーク要素と、請求項２３または２４に記載のポリシ制御機能ネットワーク要素とを備えるシステム。
【請求項２６】
コンピュータに、請求項１から１１のいずれか一項、または、１２もしくは１３に記載の方法を実行させるプログラム。
【請求項２７】
請求項１から１１のいずれか一項、または、１２もしくは１３に記載の方法を実行するように構成されるモジュールを備える装置。
【手続補正２】
【補正対象書類名】明細書
【補正対象項目名】全文
【補正方法】変更
【補正の内容】
【発明の詳細な説明】
【技術分野】
【０００１】
本願は、２０１８年１月１２日に中国国家知識財産権局に出願された「ＭＥＴＨＯＤ  ＦＯＲ  ＤＥＴＥＲＭＩＮＩＮＧ  ＮＥＴＷＯＲＫ  ＱＵＡＬＩＴＹ  ＯＦ  ＳＥＲＶＩＣＥ  ＦＬＯＷ，ＮＥＴＷＯＲＫ  ＥＬＥＭＥＮＴ，ＡＮＤ  ＳＹＳＴＥＭ」と題する中国特許出願第２０１８１００３１１５１．１号に基づく優先権を主張するものであり、この中国特許出願がそのまま参照により本明細書に組み込まれる。
【０００２】
本願は、通信分野、より具体的にはネットワークサービス品質フローを決定するための方法、ネットワーク要素、およびシステムに関する。
【背景技術】
【０００３】
モバイル通信技術では、サービス品質（Ｑｕａｌｉｔｙ  ｏｆ  Ｓｅｒｖｉｃｅ、ＱｏＳ）フローの粒度でサービス品質を保証することができる。各ＱｏＳフローが、対応するポリシおよび課金制御（Ｐｏｌｉｃｙ  ａｎｄ  Ｃｈａｒｇｉｎｇ  Ｃｏｎｔｒｏｌ、ＰＣＣ）ルールにバインドされ、ＱｏＳフローを使用して伝送されるデータサービスのサービス品質が、ＱｏＳフローがバインドされているＰＣＣルールのＱｏＳパラメータに基づいて決定され、セッション管理機能ネットワーク要素がＰＣＣルールをＱｏＳフローにバインドする。従って、セッション管理機能ネットワーク要素がＱｏＳフローをＰＣＣルールにバインドする方法は、データサービスのネットワークサービス品質に多大な影響を及ぼす。
【発明の概要】
【０００４】
本願は、ネットワークサービス品質フローを決定するための方法、ネットワーク要素、およびシステムを提供することで、ＰＣＣルールに対応するサービス品質（ＱｏＳ）フローを決定する正確率を上げることにより、データサービスのネットワークサービス品質を高めることができる。
【０００５】
第１態様によれば、ネットワークサービス品質フローを決定するための方法が提供される。方法は、セッション管理機能ネットワーク要素がポリシ制御機能ネットワーク要素からポリシおよび課金制御（ＰＣＣ）ルールを受信する段階であって、ＰＣＣルールはサービス品質（ＱｏＳ）パラメータを含み、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、段階と、セッション管理機能ネットワーク要素が標準化ＱｏＳパラメータ指示情報および非標準化ＱｏＳパラメータに基づいて、ＰＣＣルールに対応するサービス品質（ＱｏＳ）フローを決定する段階とを含む。
【０００６】
従って、セッション管理機能ネットワーク要素は、標準化ＱｏＳパラメータ指示情報および非標準化ＱｏＳパラメータの両方を使用してＰＣＣルールに対応するサービス品質（ＱｏＳ）フローを決定することにより、ＰＣＣルールに対応するサービス品質（ＱｏＳ）フローを決定する正確率を上げ、結果的に、ＱｏＳフローを使用して伝送されるデータサービスのネットワークサービス品質を保証する。
【０００７】
第１態様を参照すると、第１態様のいくつかの実装において、標準化ＱｏＳパラメータ指示情報は５Ｇサービス品質識別子（５ＱＩ）パラメータ値であり、非標準化ＱｏＳパラメータは、データパケット遅延バジェット（ＰＤＢ）、データパケットエラーレート（ＰＥＲ）、平均化ウィンドウ（ＡＷ）、優先度（ＰＬ）、および最大データバーストボリューム（ＭＤＢＶ）といったパラメータのうちの少なくとも１つと、対応する値とを含む。
【０００８】
ＰＣＣルールに対応するサービス品質（ＱｏＳ）フローを決定するための既存の方法では、ＰＣＣルールに対応するサービス品質（ＱｏＳ）フローは通常、非標準化ＱｏＳパラメータを考慮することなく、標準化ＱｏＳパラメータ指示情報に基づいて決定される。結果として、異なる非標準化ＱｏＳパラメータ要件を有するＰＣＣルールが、同じＱｏＳフローにバインドされ、同じＱｏＳ保証が、異なるＱｏＳ保証を必要とするサービスに使用されてよい。結果的に、ユーザエクスペリエンスが低下する場合があり、サービス品質を保証することができない。例えば、従来技術では、セッション管理機能ネットワーク要素は、同じ５ＱＩ値を含むが異なる非標準化ＱｏＳパラメータ（例えばＰＬ）を含む複数のＰＣＣルールを、同じＱｏＳフローにバインドする。セッション管理機能ネットワーク要素がＰＣＣルール｛５ＱＩ：１;  ＰＬ：１０｝を受信し、かつ、５ＱＩ値がＰＣＣルールのものと同じである、ＱｏＳフロー｛５ＱＩ：１;  ＰＬ：３０｝が現在のＰＤＵセッションに存在すると決定すると、セッション管理機能ネットワーク要素は、受信されたＰＣＣルールをＱｏＳフローにバインドする。この場合は、結果的に、受信されたＰＣＣルールに対応するサービスデータフローのサービス品質を保証することができない（システムが｛５ＱＩ：１;  ＰＬ：３０｝に従ってサービスフローのサービス保証を提供する）。本願では、ＰＣＣルールに対応するサービス品質（ＱｏＳ）フローが決定されるときに、非標準化ＱｏＳパラメータを、例えばＰＤＢ、ＰＥＲ、ＡＷ、ＰＬ、およびＭＤＢＶといったパラメータのうちの少なくとも１つとみなして、同じ標準化ＱｏＳパラメータ指示情報を含むが異なる非標準化ＱｏＳパラメータを含むＰＣＣルールを異なるＱｏＳフローに確実にバインドすることにより、ＰＣＣルールに対応するサービス品質（ＱｏＳ）フローを決定する正確率を上げ、ユーザエクスペリエンスを向上させる。
【０００９】
第１態様を参照すると、第１態様のいくつかの実装において、ＰＣＣルールに対応するサービス品質（ＱｏＳ）フローを決定する段階は、標準化ＱｏＳパラメータ指示情報および非標準化ＱｏＳパラメータの両方に一致する第１ＱｏＳフローがあるときに、セッション管理機能ネットワーク要素が第１ＱｏＳフローをＰＣＣルールに対応するＱｏＳフローとして決定する段階、または、標準化ＱｏＳパラメータ指示情報および非標準化ＱｏＳパラメータの両方に一致するＱｏＳフローがないときに、セッション管理機能ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００１０】
第１態様を参照すると、第１態様のいくつかの実装において、ＰＣＣルールは第１パラメータを更に含み、第１パラメータは、サービス品質を表すことができる、標準化ＱｏＳパラメータ指示情報および非標準化ＱｏＳパラメータ以外の任意のパラメータである。第１パラメータは、例えば割り当ておよび保持優先度（Ａｌｌｏｃａｔｉｏｎ  ａｎｄ  Ｒｅｔｅｎｔｉｏｎ  Ｐｒｉｏｒｉｔｙ、ＡＲＰ）またはサービス品質通知制御（ＱｏＳ  Ｎｏｔｉｆｉｃａｔｉｏｎ  Ｃｏｎｔｒｏｌ、ＱＮＣ）であってよい。
【００１１】
ＰＣＣルールに対応するサービス品質（ＱｏＳ）フローを決定する段階は、標準化ＱｏＳパラメータ指示情報、非標準化ＱｏＳパラメータ、および第１パラメータの全てに一致する第１ＱｏＳフローがあるときに、セッション管理機能ネットワーク要素が第１ＱｏＳフローをＰＣＣルールに対応するＱｏＳフローとして決定する段階、または、標準化ＱｏＳパラメータ指示情報、非標準化ＱｏＳパラメータ、および第１パラメータの全てに一致するＱｏＳフローがないときに、セッション管理機能ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００１２】
この場合は、ＰＣＣルールが第１パラメータを更に含むときに、標準化ＱｏＳパラメータ指示情報、非標準化ＱｏＳパラメータ、および第１パラメータを使用して、ＰＣＣルールに対応するサービス品質（ＱｏＳ）フローを決定することで、ＰＣＣルールに対応するサービス品質（ＱｏＳ）フローを決定する正確率を更に上げることができる。
【００１３】
第１態様を参照すると、第１態様のいくつかの実装において、ＰＣＣルールはフローマッチング情報を更に含み、セッション管理機能ネットワーク要素が第２ＱｏＳフローをＰＣＣルールに対応するＱｏＳフローとして決定するときに、方法は、セッション管理機能ネットワーク要素がアクセスネットワークに第２ＱｏＳフローのフロー識別子とＱｏＳパラメータとを送信する段階と、セッション管理機能ネットワーク要素がユーザプレーン機能ネットワーク要素に第２ＱｏＳフローのフロー識別子とフローマッチング情報とを送信する段階と、セッション管理機能ネットワーク要素がユーザ機器に第２ＱｏＳフローのフロー識別子とフローマッチング情報とを送信する段階とを更に含む。
【００１４】
第１態様を参照すると、第１態様のいくつかの実装において、ＰＣＣルールはフローマッチング情報を更に含み、セッション管理機能ネットワーク要素が第１ＱｏＳフローをＰＣＣルールに対応するＱｏＳフローとして決定するときに、方法は、セッション管理機能ネットワーク要素がアクセスネットワークに第１ＱｏＳフローのフロー識別子と第２パラメータとを送信する段階であって、第２パラメータは、第１ＱｏＳフローのフロー識別子に対応するＱｏＳパラメータに対応する属性の値を更新するアクセスネットワーク用の指示情報である、段階と、セッション管理機能ネットワーク要素がユーザプレーン機能ネットワーク要素に第１ＱｏＳフローのフロー識別子とフローマッチング情報とを送信する段階と、セッション管理機能ネットワーク要素がユーザ機器に第１ＱｏＳフローのフロー識別子とフローマッチング情報とを送信する段階とを更に含む。
【００１５】
第２態様によれば、ネットワークサービス品質フローを決定するための方法が提供される。方法は、ポリシ制御機能ネットワーク要素がＱｏＳパラメータを決定する段階であって、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、段階と、ポリシ制御機能ネットワーク要素がセッション管理機能ネットワーク要素にポリシおよび課金制御（ＰＣＣ）ルールを送信する段階であって、ＰＣＣルールはＱｏＳパラメータを含む、段階とを含む。
【００１６】
従って、ポリシ制御機能ネットワーク要素はセッション管理機能ネットワーク要素にＰＣＣルールを送信する。ＰＣＣルールが標準化ＱｏＳパラメータ指示情報および非標準化ＱｏＳパラメータを含むので、セッション管理機能ネットワーク要素は、標準化ＱｏＳパラメータ指示情報および非標準化ＱｏＳパラメータの両方に基づいてＰＣＣルールに対応するサービス品質（ＱｏＳ）フローを決定することにより、ＰＣＣルールに対応するサービス品質（ＱｏＳ）フローを決定する正確率を上げ、結果的に、データサービスのネットワークサービス品質を高める。
【００１７】
第２態様を参照すると、第２態様のいくつかの実装において、標準化ＱｏＳパラメータ指示情報は５Ｇサービス品質識別子（５ＱＩ）パラメータ値であり、非標準化ＱｏＳパラメータは、データパケット遅延バジェット（ＰＤＢ）、データパケットエラーレート（ＰＥＲ）、平均化ウィンドウ（ＡＷ）、優先度（ＰＬ）、および最大データバーストボリューム（ＭＤＢＶ）といったパラメータのうちの少なくとも１つと、対応する値とを含む。
【００１８】
第２態様を参照すると、第２態様のいくつかの実装において、ポリシ制御機能ネットワーク要素がＱｏＳパラメータを決定する段階は、ポリシ制御機能ネットワーク要素がアプリケーション機能ネットワーク要素から非標準化ＱｏＳパラメータを受信する段階、または、ポリシ制御機能ネットワーク要素がアプリケーション機能ネットワーク要素から第１指示情報を受信し、ポリシ制御機能ネットワーク要素が第１指示情報および第１事前構成ポリシに従って非標準化ＱｏＳパラメータを決定する段階、または、ポリシ制御機能ネットワーク要素がセッション管理機能ネットワーク要素から第２指示情報を受信し、ポリシ制御機能ネットワーク要素が第２指示情報および第２事前構成ポリシに従って非標準化ＱｏＳパラメータを決定する段階を含む。
【００１９】
この場合は、ポリシ制御機能ネットワーク要素が非標準化ＱｏＳパラメータを決定することで、ポリシ制御機能ネットワーク要素は、ＱｏＳパラメータをリアルタイムで動的に決定して、ＰＣＣルールをタイムリーに調整し、次に、調整されたＰＣＣルールに対応するサービス品質（ＱｏＳ）フローを決定することにより、ＰＣＣルールに対応するサービス品質（ＱｏＳ）フローを決定する正確率を上げ、結果的に、データサービスのネットワークサービス品質を高めることができる。
【００２０】
第３態様によれば、セッション管理機能ネットワーク要素が提供される。セッション管理機能ネットワーク要素は、ポリシ制御機能ネットワーク要素からポリシおよび課金制御（ＰＣＣ）ルールを受信するように構成される受信モジュールであって、ＰＣＣルールはサービス品質（ＱｏＳ）パラメータを含み、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、受信モジュールと、標準化ＱｏＳパラメータ指示情報および非標準化ＱｏＳパラメータに基づいて、ＰＣＣルールに対応するサービス品質（ＱｏＳ）フローを決定するように構成される決定モジュールとを含む。
【００２１】
第３態様を参照すると、第３態様のいくつかの実装において、標準化ＱｏＳパラメータ指示情報は５Ｇサービス品質識別子（５ＱＩ）パラメータ値であり、非標準化ＱｏＳパラメータは、データパケット遅延バジェット（ＰＤＢ）、データパケットエラーレート（ＰＥＲ）、平均化ウィンドウ（ＡＷ）、優先度（ＰＬ）、および最大データバーストボリューム（ＭＤＢＶ）といったパラメータのうちの少なくとも１つと、対応する値とを含む。
【００２２】
第３態様を参照すると、第３態様のいくつかの実装において、決定モジュールは、標準化ＱｏＳパラメータ指示情報および非標準化ＱｏＳパラメータの両方に一致する第１ＱｏＳフローがあるときに、セッション管理機能ネットワーク要素により第１ＱｏＳフローをＰＣＣルールに対応するＱｏＳフローとして決定すること、または、標準化ＱｏＳパラメータ指示情報および非標準化ＱｏＳパラメータの両方に一致するＱｏＳフローがないときに、セッション管理機能ネットワーク要素により第２ＱｏＳフローをＰＣＣルールに対応するＱｏＳフローとして決定することであって、ＰＣＣルールに従って、第２ＱｏＳフローに対応するＱｏＳパラメータが決定される、決定することを行うように具体的に構成される。
【００２３】
第３態様を参照すると、第３態様のいくつかの実装において、ＰＣＣルールは第１パラメータを更に含み、第１パラメータは、サービス品質を表すことができる、標準化ＱｏＳパラメータ指示情報および非標準化ＱｏＳパラメータ以外の任意のパラメータであり、決定モジュールは、標準化ＱｏＳパラメータ指示情報、非標準化ＱｏＳパラメータ、および第１パラメータの全てに一致する第１ＱｏＳフローがあるときに、セッション管理機能ネットワーク要素により第１ＱｏＳフローをＰＣＣルールに対応するＱｏＳフローとして決定すること、または、標準化ＱｏＳパラメータ指示情報、非標準化ＱｏＳパラメータ、および第１パラメータの全てに一致するＱｏＳフローがないときに、セッション管理機能ネットワーク要素により第２ＱｏＳフローをＰＣＣルールに対応するＱｏＳフローとして決定することであって、ＰＣＣルールに従って、第２ＱｏＳフローに対応するＱｏＳパラメータが決定される、決定することを行うように具体的に構成される。
【００２４】
第３態様を参照すると、第３態様のいくつかの実装において、ＰＣＣルールはフローマッチング情報を更に含み、セッション管理機能ネットワーク要素が第２ＱｏＳフローをＰＣＣルールに対応するＱｏＳフローとして決定するときに、セッション管理機能ネットワーク要素は送信モジュールを更に含み、送信モジュールは、アクセスネットワークに第２ＱｏＳフローのフロー識別子とＱｏＳパラメータとを送信し、ユーザプレーン機能ネットワーク要素に第２ＱｏＳフローのフロー識別子とフローマッチング情報とを送信し、ユーザ機器に第２ＱｏＳフローのフロー識別子とフローマッチング情報とを送信するように構成される。
【００２５】
第３態様を参照すると、第３態様のいくつかの実装において、ＰＣＣルールはフローマッチング情報を更に含み、セッション管理機能ネットワーク要素が第１ＱｏＳフローをＰＣＣルールに対応するＱｏＳフローとして決定するときに、セッション管理機能ネットワーク要素は送信モジュールを更に含み、送信モジュールは、アクセスネットワークに第１ＱｏＳフローのフロー識別子と第２パラメータとを送信することであって、第２パラメータは、第１ＱｏＳフローのフロー識別子に対応するＱｏＳパラメータに対応する属性の値を更新するアクセスネットワーク用の指示情報である、送信することと、ユーザプレーン機能ネットワーク要素に第１ＱｏＳフローのフロー識別子とフローマッチング情報とを送信することと、ユーザ機器に第１ＱｏＳフローのフロー識別子とフローマッチング情報とを送信することとを行うように構成される。
【００２６】
第４態様によれば、ポリシ制御機能ネットワーク要素が提供される。ポリシ制御機能ネットワーク要素は、ＱｏＳパラメータを決定するように構成される決定モジュールであって、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、決定モジュールと、セッション管理機能ネットワーク要素にポリシおよび課金制御（ＰＣＣ）ルールを送信するように構成される送信モジュールであって、ＰＣＣルールはＱｏＳパラメータを含む、送信モジュールとを含む。
【００２７】
第４態様を参照すると、第４態様のいくつかの実装において、標準化ＱｏＳパラメータ指示情報は５Ｇサービス品質識別子（５ＱＩ）パラメータ値であり、非標準化ＱｏＳパラメータは、データパケット遅延バジェット（ＰＤＢ）、データパケットエラーレート（ＰＥＲ）、平均化ウィンドウ（ＡＷ）、優先度（ＰＬ）、および最大データバーストボリューム（ＭＤＢＶ）といったパラメータのうちの少なくとも１つと、対応する値とを含む。
【００２８】
第４態様を参照すると、第４態様のいくつかの実装において、決定モジュールは、アプリケーション機能ネットワーク要素から非標準化ＱｏＳパラメータを受信するか、または、アプリケーション機能ネットワーク要素から第１指示情報を受信し、第１指示情報および第１事前構成ポリシに従って非標準化ＱｏＳパラメータを決定するか、または、セッション管理機能ネットワーク要素から第２指示情報を受信し、第２指示情報および第２事前構成ポリシに従って非標準化ＱｏＳパラメータを決定するように具体的に構成される。
【００２９】
第５態様によれば、通信システムが提供される。通信システムは、第３態様または第３態様の任意選択的な実装のいずれか１つに係るセッション管理機能ネットワーク要素と、第４態様または第４態様の任意選択的な実装のいずれか１つに係るポリシ制御機能ネットワーク要素とを含む。
【００３０】
第５態様を参照すると、第５態様のいくつかの実装において、システムはアプリケーション機能ネットワーク要素を更に含み、アプリケーション機能ネットワーク要素は、ポリシ制御機能ネットワーク要素が非標準化ＱｏＳパラメータを決定するように、ポリシ制御機能ネットワーク要素に非標準化ＱｏＳパラメータまたは第１指示情報を送信し、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【００３１】
第６態様によれば、少なくとも１つのプロセッサと、メモリと、トランシーバとを含むセッション管理機能ネットワーク要素が提供される。メモリは命令を記憶するように構成され、トランシーバは、別のデバイスと通信するためにセッション管理機能ネットワーク要素により使用され、記憶された命令は、セッション管理機能ネットワーク要素が第１態様または第１態様の任意選択的な実装のいずれか１つにおける方法を実行できるように、少なくとも１つのプロセッサにより直接または間接的に実行される。
【００３２】
第７態様によれば、少なくとも１つのプロセッサと、メモリと、トランシーバとを含むポリシ制御機能ネットワーク要素が提供される。メモリは命令を記憶するように構成され、トランシーバは、別のデバイスと通信するためにポリシ制御機能ネットワーク要素により使用され、記憶された命令は、ポリシ制御機能ネットワーク要素が第２態様または第２態様の任意選択的な実装のいずれか１つにおける方法を実行できるように、少なくとも１つのプロセッサにより直接または間接的に実行される。
【００３３】
第８態様によれば、少なくとも１つのプロセッサを含むチップシステムが提供される。少なくとも１つのプロセッサは、セッション管理機能ネットワーク要素が第１態様または第１態様の任意選択的な実装のいずれか１つにおける方法を実行できるように、記憶された命令を実行するように構成される。
【００３４】
第９態様によれば、少なくとも１つのプロセッサを含むチップシステムが提供される。少なくとも１つのプロセッサは、ポリシ制御機能ネットワーク要素が第２態様または第２態様の任意選択的な実装のいずれか１つにおける方法を実行できるように、記憶された命令を実行するように構成される。
【００３５】
第１０態様によれば、コンピュータプログラム製品が提供される。コンピュータプログラム製品は命令を含み、命令が実行されると、セッション管理機能ネットワーク要素が第１態様または第１態様の任意選択的な実装のいずれか１つにおける方法を実行することができる。
【００３６】
第１１態様によれば、コンピュータプログラム製品が提供される。コンピュータプログラム製品は命令を含み、命令が実行されると、ポリシ制御機能ネットワーク要素が第２態様または第２態様の任意選択的な実装のいずれか１つにおける方法を実行することができる。
【００３７】
第１２態様によれば、コンピュータ記憶媒体が提供される。コンピュータ記憶媒体はプログラム命令を記憶し、命令が実行されると、セッション管理機能ネットワーク要素が第１態様または第１態様の任意選択的な実装のいずれか１つにおける方法を実行することができる。
【００３８】
第１３態様によれば、コンピュータ記憶媒体が提供される。コンピュータ記憶媒体はプログラム命令を記憶し、命令が実行されると、ポリシ制御機能ネットワーク要素が第２態様または第２態様の任意選択的な実装のいずれか１つにおける方法を実行することができる。
【図面の簡単な説明】
【００３９】
【図１】本願に係るネットワーク要素通信システムのアーキテクチャの概略図である。
【００４０】
【図２】本願に係る無線通信方法の概略フローチャートである。
【００４１】
【図３】本願に係るセッション管理機能ネットワーク要素の概略ブロック図である。
【００４２】
【図４】本願に係るポリシ制御機能ネットワーク要素の概略ブロック図である。
【００４３】
【図５】本願に係る通信装置の概略ブロック図である。
【００４４】
【図６】本願に係る通信システムの概略ブロック図である。
【発明を実施するための形態】
【００４５】
以下では、添付の図面を参照しながら本願の技術的解決策について説明する。
【００４６】
本願の実施形態の技術的解決策は、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎｓ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の第５世代（５ｔｈ  Ｇｅｎｅｒａｔｉｏｎ、５Ｇ）システム、または新無線（Ｎｅｗ  Ｒａｄｉｏ、ＮＲ）システムなどの様々な通信システムに適用することができる。
【００４７】
図１は、本願に係るネットワークサービス品質フローを決定するための方法およびネットワーク要素通信システム１００のアーキテクチャの概略図である。図１に示すように、システム１００は、端末デバイス１１０と、アクセスネットワークデバイス１２０と、ユーザプレーン機能（ｕｓｅｒ  ｐｌａｎｅ  ｆｕｎｃｔｉｏｎ、ＵＰＦ）ネットワーク要素１３０と、データネットワーク（ｄａｔａ  ｎｅｔｗｏｒｋ、ＤＮ）１４０と、アクセスおよびモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）ネットワーク要素１５０と、セッション管理機能（ｓｅｓｓｉｏｎ  ｍａｎａｇｅｍｅｎｔ  ｆｕｎｃｔｉｏｎ、ＳＭＦ）ネットワーク要素１６０と、ポリシ制御機能（ｐｏｌｉｃｙ  ｃｏｎｔｒｏｌ  ｆｕｎｃｔｉｏｎ、ＰＣＦ）ネットワーク要素１７０と、アプリケーション機能（Ａｐｐｌｉｃａｔｉｏｎ  Ｆｕｎｃｔｉｏｎ、ＡＦ）ネットワーク要素１８０と、一元データ管理（ｕｎｉｆｉｅｄ  ｄａｔａ  ｍａｎａｇｅｍｅｎｔ、ＵＤＭ）ネットワーク要素１９０とを含む。通信を実装すべく、次世代（ｎｅｘｔ  ｇｅｎｅｒａｔｉｏｎ、ＮＧ）ネットワークインタフェースを介してネットワーク要素間に接続が確立されてよい。例えば、端末デバイス１１０は、新無線（ｎｅｗ  ｒａｄｉｏ、ＮＲ）インタフェースを介してアクセスネットワークデバイス１２０へのエアインタフェース接続を確立して、ユーザプレーンデータおよび制御プレーンシグナリングを伝送する。端末デバイス１１０は、ＮＧインタフェース１（略してＮ１）を介してＡＭＦ１５０への制御プレーンシグナリング接続を確立してよい。アクセスネットワークデバイス１２０は、ＮＧインタフェース３（略してＮ３）を介してＵＰＦ１３０へのユーザプレーンデータ接続を確立してよい。アクセスネットワークデバイス１２０は、ＮＧインタフェース２（略してＮ２）を介してＡＭＦ１５０への制御プレーンシグナリング接続を確立してよい。ＵＰＦ１３０は、ＮＧインタフェース４（略してＮ４）を介してＳＭＦ１６０への制御プレーンシグナリング接続を確立してよい。ＵＰＦ１３０は、ＮＧインタフェース６（略してＮ６）を介してデータネットワークとユーザプレーンデータを交換してよい。ＡＭＦ１５０は、ＮＧインタフェース１１（略してＮ１１）を介してＳＭＦ１６０への制御プレーンシグナリング接続を確立してよい。ＳＭＦ１６０は、ＮＧインタフェース７（略してＮ７）を介してＰＣＦ１７０への制御プレーンシグナリング接続を確立してよい。ＰＣＦ１７０は、ＮＧインタフェース５（略してＮ５）を介してＡＦ１８０への制御プレーンシグナリング接続を確立してよい。ＰＣＦ１７０は、ＮＧインタフェース１５（略してＮ１５）を介してＡＭＦ１５０への制御プレーンシグナリング接続を確立してよい。ＵＤＭ１９０は、ＮＧインタフェース８（略してＮ８）を介してＡＭＦ１５０への制御プレーンシグナリング接続を確立してよい。ＵＤＭ１９０は、ＮＧインタフェース１０（略してＮ１０）を介してＳＭＦ１６０への制御プレーンシグナリング接続を確立してよい。
【００４８】
本願におけるネットワーク要素間のインタフェースの名称は単なる例に過ぎず、ネットワーク要素間のインタフェースは別の名称を有し得ることを理解されたい。本願ではインタフェースの名称について限定しない。
【００４９】
図１において、端末デバイス１１０は、無線エアインタフェースを介して、オペレータにより展開されるアクセスネットワークデバイス１２０に接続し、次に、ＵＰＦ１３０を使用してＤＮ１４０に接続されるように構成されてよい。アクセスネットワークデバイス１２０は主に、無線物理層機能、リソーススケジューリング、無線リソース管理、無線アクセス制御、およびモビリティ管理などの機能を実装するように構成される。ＵＰＦ１３０は、データフロー転送、ＱｏＳ制御、および課金統計収集などを実行するように構成される。ＤＮ１４０は、ＩＰマルチメディアサブシステム（ＩＰ  ｍｕｌｔｉｍｅｄｉａ  ｓｕｂｓｙｓｔｅｍ、ＩＭＳ）、インターネット、インターネットプロトコルテレビ（ｉｎｔｅｒｎｅｔ  ｐｒｏｔｏｃｏｌ  ｔｅｌｅｖｉｓｉｏｎ、ＩＰＴＶ）、および別のオペレータサービスドメインなどの複数の異なるサービスドメインに対応してよく、主に、端末デバイス１１０に複数のタイプのデータサービスを提供するように構成される。ＤＮ１４０は、サーバ、ルータ、またはゲートウェイなどのネットワークデバイスを含んでよい。ＡＭＦ１５０は、端末デバイス上でアクセスおよびモビリティ管理を実行し、ＰＣＦ１７０により提供されるＵＥモビリティおよびネットワークの選択ポリシを受信し、当該ポリシを実行するように構成される。ＳＭＦ１６０は、ＰＣＦ１７０により提供されるセッションおよびサービスフローの制御ポリシを受信し、当該ポリシを実行するように構成される。ＰＣＦ１７０は、ＡＦ１８０の要求情報、オペレータポリシ、およびユーザ加入情報などに基づいて、ポリシおよび課金制御（ＰＣＣ）ルールを生成してネットワークの挙動を制御し、制御プレーンネットワーク要素に当該ＰＣＣルールを配信してよい。ＡＦ１８０は主に、ネットワーク側にアプリケーション側の要件を提供し、要件はサービスフローのサービス品質要件およびユーザ機器のモビリティ要件などを含む。
【００５０】
上述の端末デバイス１１０は、ユーザ機器、アクセス端末、加入者ユニット、加入者局、移動局、モバイルコンソール、リモート局、リモート端末、モバイルデバイス、ユーザ端末、端末、無線通信デバイス、ユーザエージェント、またはユーザ装置であってよい。端末デバイス１１０は代替的に、携帯電話、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイスもしくは無線モデムに接続された別の処理デバイス、車載デバイス、ウェアラブルデバイス、将来の５Ｇネットワークにおける端末デバイス、または将来の進化型の公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末デバイスなどであってよい。本願の実施形態ではこれについて限定しない。上述のアクセスネットワークデバイスは、端末デバイスと通信するように構成されるデバイスであってよい。アクセスネットワークデバイスは、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎｓ、ＧＳＭ）または符号分割多元接続（Ｃｏｄｅ  Ｄｉｖｉｓｉｏｎ  Ｍｕｌｔｉｐｌｅ  Ａｃｃｅｓｓ、ＣＤＭＡ）のベーストランシーバ局（Ｂａｓｅ  Ｔｒａｎｓｃｅｉｖｅｒ  Ｓｔａｔｉｏｎ、ＢＴＳ）であってもよいし、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムのノードＢ（ＮｏｄｅＢ、ＮＢ）であってもよいし、ＬＴＥシステムの進化型ノードＢ（Ｅｖｏｌｕｔｉｏｎａｌ  ＮｏｄｅＢ、ｅＮＢまたはｅＮｏｄｅＢ）であってもよいし、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオでの無線コントローラであってもよい。代替的に、アクセスネットワークデバイス１２０は、中継局、アクセスポイント、車載デバイス、ウェアラブルデバイス、またはアクセスネットワーク（ａｃｃｅｓｓ  ｎｅｔｗｏｒｋ、ＡＮ）デバイス／無線アクセスネットワーク（ｒａｄｉｏ  ａｃｃｅｓｓ  ｎｅｔｗｏｒｋ、ＲＡＮ）デバイスであってよい。ネットワークは複数の５Ｇ−ＡＮ／５Ｇ−ＲＡＮノードを含む。これらの５Ｇ−ＡＮ／５Ｇ−ＲＡＮノードは、アクセスポイント（ａｃｃｅｓｓ  ｐｏｉｎｔ、ＡＰ）、次世代ノードＢ（ＮＲ  ｎｏｄｅＢ、ｇＮＢ）、中央ユニット（ｃｅｎｔｒａｌ  ｕｎｉｔ、ＣＵ）が分散型ユニット（ｄｉｓｔｒｉｂｕｔｅｄ  ｕｎｉｔ、ＤＵ）から分離されているｇＮＢ、送受信ポイント（ｔｒａｎｓｍｉｓｓｉｏｎ  ｒｅｃｅｐｔｉｏｎ  ｐｏｉｎｔ、ＴＲＰ）、伝送ポイント（ｔｒａｎｓｍｉｓｓｉｏｎ  ｐｏｉｎｔ、ＴＰ）、または別のアクセスノードであってよい。本願の実施形態ではこれについて限定しない。
【００５１】
上述のネットワーク要素のいくつかは独立して機能してもよいし、組み合わされていくつかの制御機能を実装してもよい。例えば、ＡＭＦ１５０、ＳＭＦ１６０、およびＰＣＦ１７０は、組み合わせされて管理デバイスとして機能することで、端末デバイスのアクセス認証、セキュリティ暗号化、および位置登録などのアクセス制御およびモビリティ管理機能、ユーザプレーン伝送経路の確立、リリース、および変更などのセッション管理機能、並びに、いくつかのスライスに関連するデータ（輻輳など）および端末デバイスに関連するデータの分析などの機能を実装してよい。ＵＰＦ１３０は主に、ゲートウェイデバイスとして、ユーザプレーンデータのルーティングおよび転送などの機能を実装し、例えば、端末デバイスのデータパケットのフィルタリング、データの伝送／転送、レートの制御、および課金情報の生成を担う。
【００５２】
本願で提供するネットワークサービス品質フローを決定するための方法は、セッション管理機能ネットワーク要素およびポリシ制御機能ネットワーク要素に適用されてよい。セッション管理機能ネットワーク要素およびポリシ制御機能ネットワーク要素はそれぞれ、ハードウェア層、ハードウェア層上で実行されるオペレーティングシステム層、およびオペレーティングシステム層上で実行されるアプリケーション層を含む。ハードウェア層は、中央処理装置（ｃｅｎｔｒａｌ  ｐｒｏｃｅｓｓｉｎｇ  ｕｎｉｔ、ＣＰＵ）、メモリ管理ユニット（ｍｅｍｏｒｙ  ｍａｎａｇｅｍｅｎｔ  ｕｎｉｔ、ＭＭＵ）、およびメモリ（メインメモリとも呼ばれる）などのハードウェアを含む。オペレーティングシステム層は、プロセスを使用してサービスを処理する任意の１または複数のコンピュータオペレーティングシステム、例えばＬｉｎｕｘ（登録商標）オペレーティングシステム、Ｕｎｉｘ（登録商標）オペレーティングシステム、Ａｎｄｒｏｉｄ（登録商標）オペレーティングシステム、ｉＯＳオペレーティングシステム、またはｗｉｎｄｏｗｓ（登録商標）オペレーティングシステムであってよい。アプリケーション層は、ブラウザ、連絡先リスト、文書作成ソフトウェア、およびインスタントメッセージングソフトウェアなどのアプリケーションを含む。
【００５３】
加えて、本願の態様または特徴は、標準化されたプログラミング技術および／または工学技術を使用する方法、装置、または製品として実装されてよい。本願で使用する「製品」という用語は、任意のコンピュータ可読コンポーネント、キャリア、または媒体からアクセスされ得るコンピュータプログラムを包含する。例えば、コンピュータ可読媒体は、以下に限定するわけではないが、磁気記憶コンポーネント（例えばハードディスク、フロッピーディスク、または磁気テープ）、光ディスク（例えばコンパクトディスク（ｃｏｍｐａｃｔ  ｄｉｓｃ、ＣＤ）、デジタル多用途ディスク（ｄｉｇｉｔａｌ  ｖｅｒｓａｔｉｌｅ  ｄｉｓｃ、ＤＶＤ））、スマートカード、およびフラッシュメモリコンポーネント（例えば消去可能プログラマブルリードオンリメモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭ）、カード、スティック、またはキードライブ）を含んでよい。加えて、本明細書で説明する様々な記憶媒体は、情報を記憶するように構成される１または複数のデバイスおよび／または他の機械可読媒体を示してよい。「機械可読媒体」という用語は、以下に限定するわけではないが、命令および／またはデータを記憶、含有、および／または保持できる様々な媒体を含んでよい。
【００５４】
図１は、単に例示的なアーキテクチャの図に過ぎない。図１に示す機能ユニットに加えて、ネットワークアーキテクチャは、別の機能ユニットまたは機能エンティティを更に含んでよい。本発明の実施形態ではこれについて限定しない。
【００５５】
本願をよりよく理解できるよう、以下では図１に示すシステムと同じまたは同様のシステムを例として使用することにより、図２から図５を参照しながら本願について説明する。
【００５６】
図２は、本願に係る無線通信方法２００の概略フローチャートである。図２に示すように、方法２００は以下の段階を含む。
【００５７】
段階２１０：ポリシ制御機能ネットワーク要素がサービス品質（ｑｕａｌｉｔｙ  ｏｆ  ｓｅｒｖｉｃｅ、ＱｏＳ）パラメータを決定する。
【００５８】
ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【００５９】
ＱｏＳパラメータは、ポリシおよび課金制御（ｐｏｌｉｃｙ  ａｎｄ  ｃｈａｒｇｉｎｇ  ｃｏｎｔｒｏｌ、ＰＣＣ）ルールに合致したサービス品質（ＱｏＳ）フローのネットワークサービス品質パラメータを示す。ＱｏＳパラメータは、標準化ＱｏＳパラメータおよび非標準化ＱｏＳパラメータに分割されてよい。標準化ＱｏＳパラメータは、標準化ＱｏＳパラメータ指示情報を使用して決定され得るＱｏＳパラメータのセットである。非標準化ＱｏＳパラメータは、ポリシ制御機能ネットワーク要素から動的にＱｏＳパラメータであり、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【００６０】
段階２２０：ポリシ制御機能ネットワーク要素は、セッション管理機能ネットワーク要素にポリシおよび課金制御（ＰＣＣ）ルールを送信し、ＰＣＣルールはＱｏＳパラメータを含む。
【００６１】
段階２３０：セッション管理機能ネットワーク要素は、ポリシ制御機能ネットワーク要素からＰＣＣルールを受信する。
【００６２】
段階２４０：セッション管理機能ネットワーク要素は、標準化ＱｏＳパラメータ指示情報および非標準化ＱｏＳパラメータに基づいて、ＰＣＣルールに対応するサービス品質（ＱｏＳ）フローを決定する。
【００６３】
従って、本願の本実施形態において、ポリシ制御機能ネットワーク要素は、ＱｏＳパラメータを決定し、ＱｏＳパラメータを含むＰＣＣルールをセッション管理機能ネットワーク要素に送信し、セッション管理機能ネットワーク要素は、標準化ＱｏＳパラメータ指示情報および非標準化ＱｏＳパラメータの両方を使用して、ＰＣＣルールに対応するサービス品質（ＱｏＳ）フローを決定することににより、ＰＣＣルールに対応するサービス品質（ＱｏＳ）フローを決定する正確率を上げ、結果的に、ＱｏＳフローを使用して伝送されるデータサービスのネットワークサービス品質を保証する。
【００６４】
段階２１０の前に、セッション管理機能ネットワーク要素は、ポリシ制御機能ネットワーク要素のアドレス情報またはドメイン名情報を取得し、アドレス指定により、アドレス情報またはドメイン名情報に基づいてポリシ制御機能ネットワーク要素を見つけることができること、または、ポリシ制御機能ネットワーク要素は、セッション管理機能ネットワーク要素から要求メッセージを受信し、要求メッセージは、セッション管理機能ネットワーク要素のアドレス情報またはドメイン名情報を含み、アドレス指定により、アドレス情報またはドメイン名情報に基づいてセッション管理機能ネットワーク要素を見つけることができることを理解されたい。セッション管理機能ネットワーク要素はＰＣＣルールの要求を開始してよく、ポリシ制御機能ネットワーク要素はＰＣＣルールの更新を開始してよい。
【００６５】
オプションとして標準化ＱｏＳパラメータ指示情報は、第５世代（５ｔｈ  Ｇｅｎｅｒａｔｉｏｎ、５Ｇ）サービス品質識別子（５ＱＩ）パラメータ値であり、非標準化ＱｏＳパラメータは、データパケット遅延バジェット（Ｐａｃｋｅｔ  Ｄｅｌａｙ  Ｂｕｄｇｅｔ、ＰＤＢ）、データパケットエラーレート（Ｐａｃｋｅｔ  Ｅｒｒｏｒ  Ｒａｔｅ、ＰＥＲ）、平均化ウィンドウ（Ａｖｅｒａｇｉｎｇ  Ｗｉｎｄｏｗ、ＡＷ）、優先度（Ｐｒｉｏｒｉｔｙ  Ｌｅｖｅｌ、ＰＬ）、および最大データバーストボリューム（Ｍａｘｉｍｕｍ  Ｄａｔａ  Ｂｕｒｓｔ  Ｖｏｌｕｍｅ、ＭＤＢＶ）といったパラメータのうちの少なくとも１つを含む。
【００６６】
具体的には、５ＱＩパラメータ値はインデックス値であり、当該インデックス値に基づいて、１つの標準化ＱｏＳパラメータが決定され得る。標準化ＱｏＳパラメータは、表１に示すように、属性および対応する値のセットを含む。
【表１】
2021510278.tif 000010
【００６７】
表１において、５ＱＩパラメータ値が１であることは、リソースタイプが、保証されたビットレート（Ｇｕａｒａｎｔｅｅｄ  Ｂｉｔ  Ｒａｔｅ、ＧＢＲ）タイプであり、ＰＬが２０であり、ＰＤＢパラメータが１００ｍｓであり、ＰＥＲが１０−２であり、ＭＤＢＶおよびＡＷが定義される予定である、５ＱＩパラメータのセットを示す。５ＱＩパラメータ値が１であることは、ネットワークプロトコルで指定されたパラメータのセットを示す。
【００６８】
表１は単に５ＱＩパラメータ値に対応する標準化ＱｏＳパラメータを示しているに過ぎないことを理解されたい。実際には、異なる５ＱＩパラメータ値に対応する異なる標準化ＱｏＳパラメータがあるかもしれない。
【００６９】
オプションとして、ポリシ制御機能ネットワーク要素が段階２１０でＱｏＳパラメータを決定する段階は、ポリシ制御機能ネットワーク要素がアプリケーション機能ネットワーク要素から非標準化ＱｏＳパラメータを受信する段階、または、ポリシ制御機能ネットワーク要素がアプリケーション機能ネットワーク要素から第１指示情報を受信し、ポリシ制御機能ネットワーク要素が第１指示情報および第１事前構成ポリシに従って非標準化ＱｏＳパラメータを決定する段階、または、ポリシ制御機能ネットワーク要素がセッション管理機能ネットワーク要素から第２指示情報を受信し、ポリシ制御機能ネットワーク要素が第２指示情報および第２事前構成ポリシに従って非標準化ＱｏＳパラメータを決定する段階を含む。
【００７０】
具体的には、ポリシ制御機能ネットワーク要素は、アプリケーション機能ネットワーク要素から非標準化ＱｏＳパラメータを受信する。具体的には、ポリシ制御機能ネットワーク要素は、アプリケーション機能ネットワーク要素からの非標準化ＱｏＳパラメータをＰＣＣルールに直接追加し、セッション管理機能ネットワーク要素にＰＣＣルールを送信する。
【００７１】
第１指示情報は、アプリケーション機能ネットワーク要素からのアプリケーション識別子情報または５タプル情報（送信元ＩＰアドレス、送信元ポート、宛先ＩＰアドレス、宛先ポート、およびトランスポート層プロトコルを含む）であってよい。第１指示情報は、非標準化ＱｏＳパラメータを決定するポリシ制御機能ネットワーク要素用の指示情報であり、ポリシ制御機能ネットワーク要素は、第１指示情報および第１事前構成ポリシに従って非標準化ＱｏＳパラメータを決定する。第１事前構成ポリシは、オペレータ構成情報および／またはユーザ加入情報などを含む。オペレータ構成情報は、特定用途向けのサービス品質パラメータ構成、または、特定用途向けにオペレータにより事前構成された事前構成動作、例えば帯域幅保証およびスケジューリング優先順位などのパラメータ情報、または、特定用途向けに設定されたゲーティング情報といった情報であってよい。ユーザ加入情報は、ユーザレベル、ユーザが加入している特定用途向け付加価値サービス、およびユーザ加入パッケージなどの情報であってよい。
【００７２】
第２指示情報は、セッション管理機能ネットワーク要素からの要求情報であってよく、ＰＣＣルールのＱｏＳパラメータを調整するようＰＣＦ１７０に要求するために使用される。第２指示情報は、アプリケーションイベント検出報告および／またはリソースに制約のある通知情報などを含んでよい。アプリケーションイベント検出報告はアプリケーション識別子を保持してよく、リソースに制約のある通知情報はＰＣＣルールＩＤを保持してよい。
【００７３】
この場合は、ポリシ制御機能ネットワーク要素が非標準化ＱｏＳパラメータを決定することで、ポリシ制御機能ネットワーク要素は、ＱｏＳパラメータをリアルタイムで動的に決定して、ＰＣＣルールをタイムリーに調整し、次に、調整されたＰＣＣルールに対応するサービス品質（ＱｏＳ）フローを決定することにより、ＰＣＣルールに対応するサービス品質（ＱｏＳ）フローを決定する正確率を上げ、結果的に、データサービスのネットワークサービス品質を高めることができる。
【００７４】
オプションとして、段階２４０のＰＣＣルールに対応するサービス品質（ＱｏＳ）フローを決定する段階は、標準化ＱｏＳパラメータ指示情報および非標準化ＱｏＳパラメータの両方に一致する第１ＱｏＳフローがあるときに、セッション管理機能ネットワーク要素が第１ＱｏＳフローをＰＣＣルールに対応するＱｏＳフローとして決定する段階、または、標準化ＱｏＳパラメータ指示情報および非標準化ＱｏＳパラメータの両方に一致するＱｏＳフローがないときに、セッション管理機能ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００７５】
５Ｇネットワークを例として使用する。第１ＱｏＳフローがセッション管理機能ネットワーク要素に存在し、第１ＱｏＳフローに対応するＱｏＳパラメータが｛５ＱＩ：１、ＰＬ：３０｝であり、ポリシ制御機能ネットワーク要素からのＰＣＣルールに含まれるＱｏＳパラメータが｛５ＱＩ：１、ＰＬ：３０｝であると仮定する。ＱｏＳパラメータが｛５ＱＩ：１、ＰＬ：３０｝に一致する第１ＱｏＳフローがセッション管理機能ネットワーク要素に存在するので、セッション管理機能ネットワーク要素は第１ＱｏＳフローをＰＣＣルールにバインドする。
【００７６】
第１ＱｏＳフローがセッション管理機能ネットワーク要素に存在し、第１ＱｏＳフローに対応するＱｏＳパラメータが｛５ＱＩ：１、ＰＬ：１０｝であり、ポリシ制御機能ネットワーク要素からのＰＣＣルールに含まれるＱｏＳパラメータが｛５ＱＩ：１、ＰＬ：３０｝であると仮定する。ＱｏＳパラメータが｛５ＱＩ：１、ＰＬ：３０｝に一致するＱｏＳフローがセッション管理機能ネットワーク要素に存在しないので、セッション管理機能ネットワーク要素はＰＣＣルール用の新たな第２ＱｏＳフローを作成する。ＰＣＣルールに従って、第２ＱｏＳフローに対応するＱｏＳパラメータが決定される。具体的には、第２ＱｏＳフローに対応するＱｏＳパラメータは｛５ＱＩ：１、ＰＬ：３０｝である。
【００７７】
オプションとして、段階２４０では、ＰＣＣルールは第１パラメータを更に含み、第１パラメータは、サービス品質を表すことができる、標準化ＱｏＳパラメータおよび非標準化ＱｏＳパラメータ以外の任意のパラメータである。
【００７８】
ＰＣＣルールに対応するサービス品質（ＱｏＳ）フローを決定する段階は、標準化ＱｏＳパラメータ指示情報、非標準化ＱｏＳパラメータ、および第１パラメータの全てに一致する第１ＱｏＳフローがあるときに、セッション管理機能ネットワーク要素が第１ＱｏＳフローをＰＣＣルールに対応するＱｏＳフローとして決定する段階、または、標準化ＱｏＳパラメータ指示情報、非標準化ＱｏＳパラメータ、および第１パラメータの全てに一致するＱｏＳフローがないときに、セッション管理機能ネットワーク要素が第２ＱｏＳフローをＰＣＣルールに対応するＱｏＳフローとして決定する段階であって、ＰＣＣルールに従って、第２ＱｏＳフローに対応するＱｏＳパラメータが決定される、段階を含む。
【００７９】
具体的には、第１パラメータは、割り当ておよび保持優先度（Ａｌｌｏｃａｔｉｏｎ  ａｎｄ  Ｒｅｔｅｎｔｉｏｎ  Ｐｒｉｏｒｉｔｙ、ＡＲＰ）および／またはサービス品質通知制御（ＱｏＳ  Ｎｏｔｉｆｉｃａｔｉｏｎ  Ｃｏｎｔｒｏｌ、ＱＮＣ）パラメータを含んでよい。
【００８０】
５Ｇネットワークを例として使用する。第１ＱｏＳフローがセッション管理機能ネットワーク要素に存在し、第１ＱｏＳフローに対応するＱｏＳパラメータが｛５ＱＩ：１、ＡＲＰ：２、ＰＬ：３０｝であり、ポリシ制御機能ネットワーク要素からのＰＣＣルールに含まれるＱｏＳパラメータが｛５ＱＩ：１、ＡＲＰ：２、ＰＬ：３０｝であると仮定する。ＱｏＳパラメータが｛５ＱＩ：１、ＡＲＰ：２、ＰＬ：３０｝に一致する第１ＱｏＳフローがセッション管理機能ネットワーク要素に存在するので、セッション管理機能ネットワーク要素は第１ＱｏＳフローをＰＣＣルールにバインドする。
【００８１】
第１ＱｏＳフローがセッション管理機能ネットワーク要素に存在し、第１ＱｏＳフローに対応するＱｏＳパラメータが｛５ＱＩ：１、ＡＲＰ：３、ＰＬ：１０｝であり、ポリシ制御機能ネットワーク要素からのＰＣＣルールに含まれるＱｏＳパラメータが｛５ＱＩ：１、ＡＲＰ：２、ＰＬ：３０｝であると仮定する。ＱｏＳパラメータが｛５ＱＩ：１、ＡＲＰ：２、ＰＬ：３０｝に一致するＱｏＳフローがセッション管理機能ネットワーク要素に存在しないので、セッション管理機能ネットワーク要素はＰＣＣルール用の新たな第２ＱｏＳフローを作成する。ＰＣＣルールに従って、第２ＱｏＳフローに対応するＱｏＳパラメータが決定される。具体的には、第２ＱｏＳフローに対応するＱｏＳパラメータは｛５ＱＩ：１、ＡＲＰ：２、ＰＬ：３０｝である。
【００８２】
この場合は、ＰＣＣルールが第１パラメータを更に含むときに、標準化ＱｏＳパラメータ指示情報、非標準化ＱｏＳパラメータ、および第１パラメータを使用して、ＰＣＣルールに対応するサービス品質（ＱｏＳ）フローを決定することで、ＰＣＣルールに対応するサービス品質（ＱｏＳ）フローを決定する正確率を更に上げることができる。
【００８３】
オプションとしてＰＣＣルールは、アップリンクおよびダウンリンク最大フロービットレート（ＵＬ  ａｎｄ  ＤＬ  Ｍａｘｉｍｕｍ  Ｆｌｏｗ  ＢｉｔＲａｔｅ）、アップリンクおよびダウンリンク保証フロービットレート（ＵＬ  ａｎｄ  ＤＬ  Ｇｕａｒａｎｔｅｅｄ  Ｆｌｏｗ  ＢｉｔＲａｔｅ）、および優先順位（ｐｒｅｃｅｄｅｎｃｅ）といったパラメータを更に含んでよい。優先順位は、ＰＣＣルールの優先順位、具体的には、データフローが複数のＰＣＣルールに合致し得るときに実行される優先順位処理を示す。
【００８４】
オプションとして、ＰＣＣルールはフローマッチング情報を更に含む。セッション管理機能ネットワーク要素が第２ＱｏＳフローをＰＣＣルールに対応するＱｏＳフローとして決定するときに、方法２００は、セッション管理機能ネットワーク要素がアクセスネットワークに第２ＱｏＳフローのフロー識別子とＱｏＳパラメータとを送信する段階と、セッション管理機能ネットワーク要素がユーザプレーン機能ネットワーク要素に第２ＱｏＳフローのフロー識別子とフローマッチング情報とを送信する段階と、セッション管理機能ネットワーク要素がユーザ機器に第２ＱｏＳフローのフロー識別子とフローマッチング情報とを送信する段階とを更に含む。
【００８５】
具体的には、セッション管理機能ネットワーク要素がアクセスネットワークに第２ＱｏＳフローのフロー識別子ＱＦＩ２とＱｏＳパラメータとを送信することで、アクセスネットワークは、ヘッダにＱＦＩ２マーキングが含まれているデータパケットを受信するときに、データパケットに対してＱＦＩ２に対応するＱｏＳ保証ポリシを実行する。
【００８６】
セッション管理機能ネットワーク要素からアクセスネットワークへのＱｏＳパラメータは、ＱｏＳプロファイルとも呼ばれ得ることを理解されたい。
【００８７】
セッション管理機能ネットワーク要素は、ユーザプレーン機能ネットワーク要素にＱＦＩ２およびフローマッチング情報を送信する。フローマッチング情報は、ポリシ制御機能ネットワーク要素からのＰＣＣルールに含まれ、フローマッチング情報は、フローマッチング情報に一致するサービスデータフローのデータパケットのヘッダにＱＦＩ２マーキングを追加するよう命令するために使用される。フローマッチング情報は、ＰＣＣルールが実行されるべき特定のサービスデータフローを示す。フローマッチング情報はパケットフィルタセット情報であり、ＩＰの５要素（ｑｕｉｎｔｕｐｌｅｔ）（送信元ＩＰアドレス、送信元ポート、宛先ＩＰアドレス、宛先ポート、およびトランスポート層プロトコルを含む）を含む。ＵＰＦ１３０がダウンリンクデータパケットを受信すると、ＵＰＦ１３０は、ダウンリンクデータパケットの宛先アドレスおよびフローマッチング情報に基づいて、ダウンリンクデータパケットを対応する第２ＱｏＳフローと照合し、データパケットのヘッダにＱＦＩ２マーキングを追加する。ＱＦＩ２マーキングを含むデータパケットを受信すると、アクセスネットワークは、ＱＦＩ２に対応するＱｏＳフローのサービス保証をデータパケットに提供する。
【００８８】
セッション管理機能ネットワーク要素は、ユーザ機器に第２ＱｏＳフローのフロー識別子とフローマッチング情報とを送信する。アップリンクデータパケットを送信すると、ユーザ機器は、アップリンクデータパケットの宛先アドレスおよびフローマッチング情報に基づいて、アップリンクデータパケットを対応する第２ＱｏＳフローと照合し、データパケットのヘッダにＱＦＩ２マーキングを追加する。ＱＦＩ２マーキングを含むデータパケットを受信すると、アクセスネットワークは、ＱＦＩ２に対応するＱｏＳフローのサービス保証をデータパケットに提供する。
【００８９】
上記では、ＰＣＣルールに含まれるフローマッチング情報がパケットフィルタセット情報であるときに、セッション管理機能ネットワーク要素がユーザ機器およびユーザプレーン機能ネットワーク要素の両方にフロー識別子およびフローマッチング情報を配信する場合について説明していることを理解されたい。ただし、ＰＣＣルールに含まれるフローマッチング情報がアプリケーション識別子であるときには、アプリケーション識別子がユーザ機器に送信されない場合があるので、ＵＥにはアップリンクフローマッチング情報がない場合がある。ユーザ機器は、デフォルトのＱｏＳフローに基づいてアップリンクデータパケットを伝送する。例えば、デフォルトのＱｏＳフローは、マッチング優先順位が最も低いＱｏＳフローである場合がある。セッション管理機能ネットワーク要素は、ユーザプレーン機能ネットワーク要素にアプリケーション識別子およびフロー識別子を送信する。ダウンリンクデータパケットを受信すると、ユーザプレーン機能ネットワーク要素は、アプリケーション識別子およびアプリケーションマッチングルールに従ってマッチングを実行し、マッチングが成功した場合はダウンリンクデータパケットのヘッダにフロー識別子を追加する。ＰＣＣルールに含まれるフローマッチング情報がアプリケーション識別子であるとき、セッション管理機能ネットワーク要素は代替的に、ユーザ機器にアプリケーション識別子およびフロー識別子を送信してよい。ユーザ機器は、ピアユニフォームリソースロケータ（Ｕｎｉｆｏｒｍ  Ｒｅｓｏｕｒｃｅ  Ｌｏｃａｔｏｒ、ＵＲＬ）またはドメイン名アドレスなどの情報を使用してアプリケーションタイプを決定してよい。決定されたアプリケーションタイプがアプリケーション識別子と一致する場合は、ユーザ機器はアップリンクデータパケットのヘッダにフロー識別子を追加する。
【００９０】
オプションとして、ＰＣＣルールはフローマッチング情報を更に含む。セッション管理機能ネットワーク要素が第１ＱｏＳフローをＰＣＣルールに対応するＱｏＳフローとして決定するときに、方法２００は、セッション管理機能ネットワーク要素がアクセスネットワークに第１ＱｏＳフローのフロー識別子と第２パラメータとを送信する段階であって、第２パラメータは、第１ＱｏＳフローのフロー識別子に対応するＱｏＳパラメータに対応する属性の値を更新するアクセスネットワーク用の指示情報である、段階と、セッション管理機能ネットワーク要素がユーザプレーン機能ネットワーク要素に第１ＱｏＳフローのフロー識別子とフローマッチング情報とを送信する段階と、セッション管理機能ネットワーク要素がユーザ機器に第１ＱｏＳフローのフロー識別子とフローマッチング情報とを送信する段階とを更に含む。
【００９１】
具体的には、セッション管理機能ネットワーク要素は、アクセスネットワークに第１ＱｏＳフローのフロー識別子ＱＦＩ１と第２パラメータとを送信する。第２パラメータは、第１ＱｏＳフローのフロー識別子に対応するＱｏＳパラメータに対応する属性の値を更新するアクセスネットワーク用の指示情報である。例えば、第２パラメータは｛ＧＢＲ：５ＭＢ｝であり、第１ＱｏＳフローに対応する元のＱｏＳパラメータは｛５ＱＩ：１、ＧＢＲ：３ＭＢ、ＡＲＰ：２、ＰＬ：２０｝である。第１ＱｏＳフローのフロー識別子ＱＦＩ１と第２パラメータとを受信した後、アクセスネットワークは、第１ＱｏＳフローに対応するＱｏＳパラメータを｛５ＱＩ：１、ＧＢＲ：５ＭＢ、ＡＲＰ：２、ＰＬ：２０｝に変更する。ヘッダにＱＦＩ１マーキングが含まれているデータパケットを受信すると、アクセスネットワークは、データパケットに対してＱＦＩ１に対応する変更されたＱｏＳ保証ポリシを実行する。
【００９２】
セッション管理機能ネットワーク要素がユーザプレーン機能ネットワーク要素およびユーザ機器の各々に第１ＱｏＳフローのフロー識別子とフローマッチング情報とを送信する特定のプロセスについては、それに応じて、セッション管理機能ネットワーク要素がユーザプレーン機能ネットワーク要素およびユーザ機器の各々に第２ＱｏＳフローのフロー識別子とフローマッチング情報とを送信するプロセスを参照すべきであることを理解されたい。繰り返しを回避すべく、ここでは詳細について改めて説明しない。
【００９３】
図３は、本願に係るセッション管理機能ネットワーク要素３００の概略ブロック図である。図３に示すように、セッション管理機能ネットワーク要素３００は、ポリシ制御機能ネットワーク要素からポリシおよび課金制御（ＰＣＣ）ルールを受信するように構成される受信モジュール３１０であって、ＰＣＣルールはサービス品質（ＱｏＳ）パラメータを含み、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、受信モジュール３１０、および、標準化ＱｏＳパラメータ指示情報および非標準化ＱｏＳパラメータに基づいて、ＰＣＣルールに対応するサービス品質（ＱｏＳ）フローを決定するように構成される決定モジュール３２０といったモジュールを含む。
【００９４】
オプションとして、受信モジュール３１０および決定モジュール３２０は、本願におけるネットワークサービス品質フローを決定するための方法２００の動作を実行するように構成される。簡潔にするため、ここでは詳細について改めて説明しない。
【００９５】
図４は、本願に係るポリシ制御機能ネットワーク要素４００の概略ブロック図である。図４に示すように、ポリシ制御機能ネットワーク要素は、ＱｏＳパラメータを決定するように構成される決定モジュール４１０であって、ＱｏＳパラメータは、標準化ＱｏＳパラメータ指示情報および非標準化ＱｏＳパラメータを含み、非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む、決定モジュール４１０、および、セッション管理機能ネットワーク要素にポリシおよび課金制御（ＰＣＣ）ルールを送信するように構成される送信モジュール４２０であって、ＰＣＣルールはＱｏＳパラメータを含む、送信モジュール４２０といったモジュールを含む。
【００９６】
オプションとして、決定モジュール４１０および送信モジュール４２０は、本願におけるネットワークサービス品質フローを決定するための方法２００の動作を実行するように構成される。簡潔にするため、ここでは詳細について改めて説明しない。
【００９７】
セッション管理機能ネットワーク要素およびポリシ制御機能ネットワーク要素は、方法の実施形態におけるセッション管理機能ネットワーク要素およびポリシ制御機能ネットワーク要素に完全に対応しており、対応するモジュールが対応する段階を実行する。詳細については、対応する方法の実施形態を参照されたい。
【００９８】
図５は、本願に係る通信装置５００の概略ブロック図である。通信装置５００は、プログラムを記憶するように構成されるメモリ５１０であって、プログラムはコードを含む、メモリ５１０と、別のデバイスと通信するように構成されるトランシーバ５２０と、メモリ５１０内のプログラムコードを実行するように構成されるプロセッサ５３０とを含む。
【００９９】
オプションとして、コードが実行されると、プロセッサ５３０は方法２００の動作を実装してよい。簡潔にするため、ここでは詳細について改めて説明しない。トランシーバ５２０は、プロセッサ５３０の駆動下で特定の信号受信／送信を実行するように構成される。
【０１００】
通信装置５００は、セッション管理機能ネットワーク要素またはポリシ制御機能ネットワーク要素であってよい。プロセッサは決定モジュールの動作を実行する。トランシーバは、送信器および／または受信器を含んでよく、送信器および／または受信器は、送信モジュールおよび受信モジュールの対応する段階をそれぞれ実行する。
【０１０１】
図６は、本願に係る通信システム６００の概略ブロック図である。通信システム６００は、セッション管理機能ネットワーク要素６１０およびポリシ制御機能ネットワーク要素６２０を含む。セッション管理機能ネットワーク要素６１０とポリシ制御機能ネットワーク要素６２０との間の接続については、図１におけるシステムアーキテクチャの対応する説明を参照されたい。
【０１０２】
オプションとして、通信システム６００はアプリケーション機能ネットワーク要素を更に含む。アプリケーション機能ネットワーク要素は、ポリシ制御機能ネットワーク要素に非標準化ＱｏＳパラメータまたは第１指示情報を送信して、非標準化ＱｏＳパラメータを決定するようポリシ制御機能ネットワーク要素に命令する。非標準化ＱｏＳパラメータは、標準化ＱｏＳパラメータ指示情報に対応する標準化ＱｏＳパラメータに含まれる少なくとも１つの属性と、当該少なくとも１つの属性の対応する値とを含む。
【０１０３】
具体的には、ポリシ制御機能ネットワーク要素は、アプリケーション機能ネットワーク要素から非標準化ＱｏＳパラメータを受信する。具体的には、ポリシ制御機能ネットワーク要素は、アプリケーション機能ネットワーク要素からの非標準化ＱｏＳパラメータをＰＣＣルールに直接追加し、セッション管理機能ネットワーク要素にＰＣＣルールを送信する。
【０１０４】
第１指示情報は、アプリケーション機能ネットワーク要素からのアプリケーション識別子情報または５タプル情報（送信元ＩＰアドレス、送信元ポート、宛先ＩＰアドレス、宛先ポート、およびトランスポート層プロトコルを含む）であってよい。第１指示情報は、非標準化ＱｏＳパラメータを決定するポリシ制御機能ネットワーク要素用の指示情報である。
【０１０５】
セッション管理機能ネットワーク要素６１０およびポリシ制御機能ネットワーク要素６２０は、本願におけるネットワークサービス品質フローを決定するための方法２００の動作を実行するように構成されることを理解されたい。簡潔にするため、ここでは詳細について改めて説明しない。
【０１０６】
セッション管理機能ネットワーク要素およびポリシ制御機能ネットワーク要素は、方法の実施形態におけるセッション管理機能ネットワーク要素およびポリシ制御機能ネットワーク要素に完全に対応する。詳細については、対応する方法の実施形態を参照されたい。
【０１０７】
通信システム６００は別のネットワーク要素または機能エンティティを更に含み得ることを理解されたい。本発明の本実施形態ではこれについて限定しない。
【０１０８】
当業者であれば、本明細書で開示する実施形態に記載の例と組み合わせて、電子ハードウェア、またはコンピュータソフトウェアと電子ハードウェアとの組み合わせにより、ユニットおよびアルゴリズム段階が実装され得ることを認識できよう。これらの機能がハードウェアおよびソフトウェアのどちらで実行されるかは、技術的解決策の特定の用途および設計上の制約で決まる。当業者であれば、異なる方法を使用して、説明されている機能を特定の用途ごとに実装し得るが、こうした実装が本願の範囲を越えるものとみなされるべきではない。
【０１０９】
当業者であれば、簡便かつ簡単な説明を目的として、上述のシステム、装置、およびユニットの詳細な動作プロセスについては、上述した方法の実施形態における対応するプロセスを参照すべきであることを明確に理解できよう。ここでは詳細について改めて説明しない。
【０１１０】
本願において提供するいくつかの実施形態では、開示されているシステム、装置、および方法が他の方式で実装され得ることを理解されたい。例えば、説明されている装置の実施形態は単なる例に過ぎない。例えば、ユニット区分は単に論理機能区分に過ぎず、実際の実装においては他の区分であってよい。例えば、複数のユニットまたはコンポーネントを組み合わせるかまたは統合して別のシステムにしてもよいし、いくつかの特徴を無視するかまたは実行しなくてもよい。加えて、表示または説明されている相互結合もしくは直接結合または通信接続は、いくつかのインタフェースを介して実装されてよい。装置間またはユニット間の間接結合または通信接続は、電気的な形態、機械的な形態、または他の形態で実装されてよい。
【０１１１】
別個の部分として説明されているユニットは物理的に別個であってもなくてもよく、ユニットとして表示されている部分が物理的ユニットであってなくてもよいし、１箇所に配置されてもよいし、複数のネットワークユニットに分散されてもよい。これらのユニットのいくつかまたは全てが、実施形態の解決策の目的を達成するために、実際の要件に基づいて選択されてよい。
【０１１２】
加えて、本願の実施形態における機能ユニットが１つの処理ユニットに統合されてもよいし、これらのユニットの各々が物理的に単独で存在してもよく、または、２またはそれより多くのユニットが統合されて１つのユニットになる。
【０１１３】
本明細書における「および／または」および「ＡまたはＢのうちの少なくとも１つ」という用語は、関連付けられる対象物を説明するための対応関係のみを説明するものであり、３つの関係が存在し得ることを表していることを理解されたい。例えば、Ａおよび／またはＢは、Ａのみが存在する、ＡおよびＢの両方が存在する、および、Ｂのみが存在するという３つの場合を表し得る。加えて、本明細書における「／」という文字は概して、関連付けられる対象物間の「または」の関係を示す。
【０１１４】
本願のある実施形態が、コンピュータプログラムを記憶するように構成されるコンピュータ可読媒体を提供する。コンピュータプログラムは、図２の本願の上述の実施形態におけるネットワークサービス品質フローを決定するための方法を実行するための命令を含む。これらの機能がソフトウェア機能ユニットの形態で実装され、独立した製品として販売または使用されるとき、これらの機能はコンピュータ可読記憶媒体に記憶されてよい。こうした理解に基づいて、本願の技術的解決策は本質的に、または従来技術に寄与する部分が、またはこれらの技術的解決策のいくつかが、ソフトウェア製品の形態で実装されてよい。コンピュータソフトウェア製品は記憶媒体に記憶され、本願の実施形態で説明する方法の段階の全てまたはいくつかを実行するようコンピュータデバイス（パーソナルコンピュータ、サーバ、またはネットワークデバイスなどであってよい）に指示するためのいくつかの命令を含む。上述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶し得る任意の媒体を含む。
【０１１５】
上述の実施形態の全てまたはいくつかが、ソフトウェア、ハードウェア、ファームウェア、またはそれらの任意の組み合わせによって実装されてよい。これらの実施形態を実装するためにソフトウェアが使用されるとき、これらの実施形態は、コンピュータプログラム製品の形態で完全にまたは部分的に実装されてよい。コンピュータプログラム製品は１または複数のコンピュータ命令を含む。コンピュータプログラム命令がロードされ、コンピュータ上で実行されるとき、本願に係る手順または機能は完全または部分的に生成される。コンピュータは、汎用コンピュータ、専用コンピュータ、コンピュータネットワーク、または他のプログラマブル装置であってよい。コンピュータ命令はコンピュータ可読記憶媒体に記憶されてもよいし、あるコンピュータ可読記憶媒体から別のコンピュータ可読記憶媒体に伝送されてもよい。例えば、コンピュータ命令は、あるウェブサイト、コンピュータ、サーバ、またはデータセンタから別のウェブサイト、コンピュータ、サーバ、またはデータセンタへ有線（例えば、同軸ケーブル、光ファイバ、またはデジタル加入者線）または無線（例えば、赤外線、電波、またはマイクロ波）方式で伝送されてよい。コンピュータ可読記憶媒体は、コンピュータによってアクセス可能な任意の使用可能な媒体、または、１または複数の使用可能な媒体を統合した、サーバもしくはデータセンタなどのデータ記憶デバイスであってよい。使用可能な媒体は、磁気媒体（例えば、フロッピーディスク、ハードディスク、または磁気テープ）、光媒体、または半導体媒体（例えば、ソリッドステートディスク（Ｓｏｌｉｄ  Ｓｔａｔｅ  Ｄｉｓｋ、ＳＳＤ））などであってよい。
【０１１６】
上述の説明は、単に本願の特定の実装に過ぎず、本願の保護範囲を限定することを意図するものではない。本願で開示する技術的範囲内で当業者が容易に考え付く変形または置換はいずれも、本願の保護範囲に含まれるものとする。従って、本願の保護範囲は請求項の保護範囲の対象になるものとする。
（項目１）
ネットワークサービス品質フローを決定するための方法であって、
セッション管理ネットワーク要素がポリシ制御ネットワーク要素からポリシおよび課金制御ＰＣＣルールを受信する段階であって、上記ＰＣＣルールはサービス品質ＱｏＳパラメータを含み、
上記ＱｏＳパラメータは、標準化ＱｏＳパラメータ指示情報および非標準化ＱｏＳパラメータを含み、上記非標準化ＱｏＳパラメータは、上記標準化ＱｏＳパラメータ指示情報に対応する標準化ＱｏＳパラメータに含まれる少なくとも１つの属性と、上記少なくとも１つの属性の対応する値とを含む、段階と、
上記セッション管理ネットワーク要素が上記標準化ＱｏＳパラメータ指示情報および上記非標準化ＱｏＳパラメータに基づいて、上記ＰＣＣルールに対応するサービス品質ＱｏＳフローを決定する段階と
を備える方法。
（項目２）
上記標準化ＱｏＳパラメータ指示情報は５Ｇサービス品質識別子５ＱＩパラメータ値であり、上記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、項目１に記載の方法。
（項目３）
上記ＰＣＣルールに対応するサービス品質ＱｏＳフローを決定する上記段階は、
上記標準化ＱｏＳパラメータ指示情報および上記非標準化ＱｏＳパラメータの両方に一致する第１ＱｏＳフローがあるときに、上記セッション管理ネットワーク要素が上記第１ＱｏＳフローを上記ＰＣＣルールに対応する上記ＱｏＳフローとして決定する段階、または、
上記標準化ＱｏＳパラメータ指示情報および上記非標準化ＱｏＳパラメータの両方に一致するＱｏＳフローがないときに、上記セッション管理ネットワーク要素が第２ＱｏＳフローを上記ＰＣＣルールに対応する上記ＱｏＳフローとして決定する段階であって、上記ＰＣＣルールに従って、上記第２ＱｏＳフローに対応するＱｏＳパラメータが決定される、段階
を有する、項目１または２に記載の方法。
（項目４）
上記ＰＣＣルールは第１パラメータを更に含み、上記第１パラメータは、サービス品質を表すことができる、上記標準化ＱｏＳパラメータ指示情報および上記非標準化ＱｏＳパラメータ以外の任意のパラメータであり、
上記ＰＣＣルールに対応するサービス品質ＱｏＳフローを決定する上記段階は、
上記標準化ＱｏＳパラメータ指示情報、上記非標準化ＱｏＳパラメータ、および上記第１パラメータの全てに一致する第１ＱｏＳフローがあるときに、上記セッション管理ネットワーク要素が上記第１ＱｏＳフローを上記ＰＣＣルールに対応する上記ＱｏＳフローとして決定する段階、または、
上記標準化ＱｏＳパラメータ指示情報、上記非標準化ＱｏＳパラメータ、および上記第１パラメータの全てに一致するＱｏＳフローがないときに、上記セッション管理ネットワーク要素が第２ＱｏＳフローを上記ＰＣＣルールに対応する上記ＱｏＳフローとして決定する段階であって、上記ＰＣＣルールに従って、上記第２ＱｏＳフローに対応するＱｏＳパラメータが決定される、段階
を有する、
項目１または２に記載の方法。
（項目５）
上記ＰＣＣルールはフローマッチング情報を更に含み、上記セッション管理ネットワーク要素が上記第２ＱｏＳフローを上記ＰＣＣルールに対応する上記ＱｏＳフローとして決定するときに、上記方法は、
上記セッション管理ネットワーク要素がアクセスネットワークに上記第２ＱｏＳフローのフロー識別子と上記ＱｏＳパラメータとを送信する段階と、
上記セッション管理ネットワーク要素がユーザプレーンネットワーク要素に上記第２ＱｏＳフローの上記フロー識別子と上記フローマッチング情報とを送信する段階と
を更に備える、項目３または４に記載の方法。
（項目６）
上記ＰＣＣルールはフローマッチング情報を更に含み、上記セッション管理ネットワーク要素が上記第１ＱｏＳフローを上記ＰＣＣルールに対応する上記ＱｏＳフローとして決定するときに、上記方法は、
上記セッション管理ネットワーク要素がアクセスネットワークに上記第１ＱｏＳフローのフロー識別子と第２パラメータとを送信する段階であって、上記第２パラメータは、上記第１ＱｏＳフローの上記フロー識別子に対応するＱｏＳパラメータに対応する属性の値を更新する上記アクセスネットワーク用の指示情報である、段階と、
上記セッション管理ネットワーク要素がユーザプレーンネットワーク要素に上記第１ＱｏＳフローの上記フロー識別子と上記フローマッチング情報とを送信する段階と
を更に備える、項目３または４に記載の方法。
（項目７）
ネットワークサービス品質フローを決定するための方法であって、
ポリシ制御ネットワーク要素がＱｏＳパラメータを決定する段階であって、
上記ＱｏＳパラメータは、標準化ＱｏＳパラメータ指示情報および非標準化ＱｏＳパラメータを含み、上記非標準化ＱｏＳパラメータは、上記標準化ＱｏＳパラメータ指示情報に対応する標準化ＱｏＳパラメータに含まれる少なくとも１つの属性と、上記少なくとも１つの属性の対応する値とを含む、段階と、
上記ポリシ制御ネットワーク要素がセッション管理ネットワーク要素にポリシおよび課金制御ＰＣＣルールを送信する段階であって、上記ＰＣＣルールは上記ＱｏＳパラメータを含む、段階と
を備える方法。
（項目８）
上記標準化ＱｏＳパラメータ指示情報は５Ｇサービス品質識別子５ＱＩパラメータ値であり、上記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、項目７に記載の方法。
（項目９）
ポリシ制御ネットワーク要素がＱｏＳパラメータを決定する上記段階は、
上記ポリシ制御ネットワーク要素がアプリケーションネットワーク要素から上記非標準化ＱｏＳパラメータを受信する段階、または、
上記ポリシ制御ネットワーク要素がアプリケーションネットワーク要素から第１指示情報を受信し、上記ポリシ制御ネットワーク要素が上記第１指示情報および第１事前構成ポリシに従って上記非標準化ＱｏＳパラメータを決定する段階、または、
上記ポリシ制御ネットワーク要素が上記セッション管理ネットワーク要素から第２指示情報を受信し、上記ポリシ制御ネットワーク要素が上記第２指示情報および第２事前構成ポリシに従って上記非標準化ＱｏＳパラメータを決定する段階
を有する、項目７または８に記載の方法。
（項目１０）
セッション管理ネットワーク要素であって、
ポリシ制御ネットワーク要素からポリシおよび課金制御ＰＣＣルールを受信するように構成される受信モジュールであって、上記ＰＣＣルールはサービス品質ＱｏＳパラメータを含み、
上記ＱｏＳパラメータは、標準化ＱｏＳパラメータ指示情報および非標準化ＱｏＳパラメータを含み、上記非標準化ＱｏＳパラメータは、上記標準化ＱｏＳパラメータ指示情報に対応する標準化ＱｏＳパラメータに含まれる少なくとも１つの属性と、上記少なくとも１つの属性の対応する値とを含む、受信モジュールと、
上記標準化ＱｏＳパラメータ指示情報および上記非標準化ＱｏＳパラメータに基づいて、上記ＰＣＣルールに対応するサービス品質ＱｏＳフローを決定するように構成される決定モジュールと
を備えるセッション管理ネットワーク要素。
（項目１１）
上記標準化ＱｏＳパラメータ指示情報は５Ｇサービス品質識別子５ＱＩパラメータ値であり、上記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、項目１０に記載のセッション管理ネットワーク要素。
（項目１２）
上記決定モジュールは、
上記標準化ＱｏＳパラメータ指示情報および上記非標準化ＱｏＳパラメータの両方に一致する第１ＱｏＳフローがあるときに、上記セッション管理ネットワーク要素により上記第１ＱｏＳフローを上記ＰＣＣルールに対応する上記ＱｏＳフローとして決定すること、または、
上記標準化ＱｏＳパラメータ指示情報および上記非標準化ＱｏＳパラメータの両方に一致するＱｏＳフローがないときに、上記セッション管理ネットワーク要素により第２ＱｏＳフローを上記ＰＣＣルールに対応する上記ＱｏＳフローとして決定することであって、上記ＰＣＣルールに従って、上記第２ＱｏＳフローに対応するＱｏＳパラメータが決定される、決定すること
を行うように具体的に構成される、項目１０または１１に記載のセッション管理ネットワーク要素。
（項目１３）
上記ＰＣＣルールは第１パラメータを更に含み、上記第１パラメータは、サービス品質を表すことができる、上記標準化ＱｏＳパラメータ指示情報および上記非標準化ＱｏＳパラメータ以外の任意のパラメータであり、
上記決定モジュールは、
上記標準化ＱｏＳパラメータ指示情報、上記非標準化ＱｏＳパラメータ、および上記第１パラメータの全てに一致する第１ＱｏＳフローがあるときに、上記セッション管理ネットワーク要素により上記第１ＱｏＳフローを上記ＰＣＣルールに対応する上記ＱｏＳフローとして決定すること、または、
上記標準化ＱｏＳパラメータ指示情報、上記非標準化ＱｏＳパラメータ、および上記第１パラメータの全てに一致するＱｏＳフローがないときに、上記セッション管理ネットワーク要素により第２ＱｏＳフローを上記ＰＣＣルールに対応する上記ＱｏＳフローとして決定することであって、上記ＰＣＣルールに従って、上記第２ＱｏＳフローに対応するＱｏＳパラメータが決定される、決定すること
を行うように具体的に構成される、項目１０または１１に記載のセッション管理ネットワーク要素。
（項目１４）
上記ＰＣＣルールはフローマッチング情報を更に含み、上記セッション管理ネットワーク要素が上記第２ＱｏＳフローを上記ＰＣＣルールに対応する上記ＱｏＳフローとして決定するときに、上記セッション管理ネットワーク要素は送信モジュールを更に備え、上記送信モジュールは、
アクセスネットワークに上記第２ＱｏＳフローのフロー識別子と上記ＱｏＳパラメータとを送信し、
ユーザプレーンネットワーク要素に上記第２ＱｏＳフローの上記フロー識別子と上記フローマッチング情報とを送信する
ように構成される、項目１２または１３に記載のセッション管理ネットワーク要素。
（項目１５）
上記ＰＣＣルールはフローマッチング情報を更に含み、上記セッション管理ネットワーク要素が上記第１ＱｏＳフローを上記ＰＣＣルールに対応する上記ＱｏＳフローとして決定するときに、上記セッション管理ネットワーク要素は送信モジュールを更に備え、上記送信モジュールは、
アクセスネットワークに上記第１ＱｏＳフローのフロー識別子と第２パラメータとを送信することであって、上記第２パラメータは、上記第１ＱｏＳフローの上記フロー識別子に対応するＱｏＳパラメータに対応する属性の値を更新する上記アクセスネットワーク用の指示情報である、送信することと、
ユーザプレーンネットワーク要素に上記第１ＱｏＳフローの上記フロー識別子と上記フローマッチング情報とを送信することと
を行うように構成される、項目１２または１３に記載のセッション管理ネットワーク要素。
（項目１６）
ポリシ制御ネットワーク要素であって、
ＱｏＳパラメータを決定するように構成される決定モジュールであって、
上記ＱｏＳパラメータは、標準化ＱｏＳパラメータ指示情報および非標準化ＱｏＳパラメータを含み、上記非標準化ＱｏＳパラメータは、上記標準化ＱｏＳパラメータ指示情報に対応する標準化ＱｏＳパラメータに含まれる少なくとも１つの属性と、上記少なくとも１つの属性の対応する値とを含む、決定モジュールと、
セッション管理ネットワーク要素にポリシおよび課金制御ＰＣＣルールを送信するように構成される送信モジュールであって、上記ＰＣＣルールは上記ＱｏＳパラメータを含む、送信モジュールと
を備えるポリシ制御ネットワーク要素。
（項目１７）
上記標準化ＱｏＳパラメータ指示情報は５Ｇサービス品質識別子５ＱＩパラメータ値であり、上記非標準化ＱｏＳパラメータは、
データパケット遅延バジェットＰＤＢ、データパケットエラーレートＰＥＲ、平均化時間ウィンドウＡＷ、優先度ＰＬ、および最大データバーストボリュームＭＤＢＶ
といったパラメータのうちの少なくとも１つと、対応する値とを含む、項目１６に記載のポリシ制御ネットワーク要素。
（項目１８）
上記決定モジュールは、
アプリケーションネットワーク要素から上記非標準化ＱｏＳパラメータを受信するか、または、
アプリケーションネットワーク要素から第１指示情報を受信し、上記第１指示情報および第１事前構成ポリシに従って上記非標準化ＱｏＳパラメータを決定するか、または、
上記セッション管理ネットワーク要素から第２指示情報を受信し、上記第２指示情報および第２事前構成ポリシに従って上記非標準化ＱｏＳパラメータを決定する
ように具体的に構成される、項目１６または１７に記載のポリシ制御ネットワーク要素。
（項目１９）
項目１０から１５のいずれか一項に記載のセッション管理ネットワーク要素と、項目１６から１８のいずれか一項に記載のポリシ制御ネットワーク要素とを備えるシステム。
（項目２０）
上記システムはアプリケーションネットワーク要素を更に備え、上記アプリケーションネットワーク要素は、上記ポリシ制御ネットワーク要素に非標準化ＱｏＳパラメータまたは第１指示情報を送信して、上記非標準化ＱｏＳパラメータを決定するよう上記ポリシ制御ネットワーク要素に命令し、上記非標準化ＱｏＳパラメータは、標準化ＱｏＳパラメータ指示情報に対応する標準化ＱｏＳパラメータに含まれる少なくとも１つの属性と、上記少なくとも１つの属性の対応する値とを含む、項目１９に記載のシステム。
（項目２１）
少なくとも１つのプロセッサと、メモリと、トランシーバとを備えるセッション管理ネットワーク要素であって、上記メモリは命令を記憶するように構成され、上記トランシーバは、別のデバイスと通信するために上記セッション管理ネットワーク要素により使用され、記憶された上記命令は、上記セッション管理ネットワーク要素が項目１から６のいずれか一項に記載の方法の動作を実行するように、上記少なくとも１つのプロセッサにより直接または間接的に実行される、セッション管理ネットワーク要素。
（項目２２）
少なくとも１つのプロセッサと、メモリと、トランシーバとを備えるポリシ制御ネットワーク要素であって、上記メモリは命令を記憶するように構成され、上記トランシーバは、別のデバイスと通信するために上記ポリシ制御ネットワーク要素により使用され、記憶された上記命令は、上記ポリシ制御ネットワーク要素が項目７から９のいずれか一項に記載の方法の動作を実行するように、上記少なくとも１つのプロセッサにより直接または間接的に実行される、ポリシ制御ネットワーク要素。
（項目２３）
コンピュータ記憶媒体であって、上記コンピュータ可読記憶媒体は命令を記憶し、上記命令がコンピュータ上で実行されると、上記コンピュータは、項目１から６のいずれか一項に記載の方法を実行することができる、コンピュータ記憶媒体。
（項目２４）
コンピュータ記憶媒体であって、上記コンピュータ可読記憶媒体は命令を記憶し、上記命令がコンピュータ上で実行されると、上記コンピュータは、項目７から９のいずれか一項に記載の方法を実行することができる、コンピュータ記憶媒体。
【国際調査報告】
2021510278.tif 000011
2021510278.tif 000012
2021510278.tif 000013
2021510278.tif 000014